(57)【要約】  コマ収差を良好に補正しつつ、光ディスクに対して互換可能に情報の記録及び／又は再生を行うことを可能とする光ピックアップ装置用の光学素子と、それを用いた省エネに優れコンパクトな光ピックアップ装置を提供するために、第１の対物レンズ部と第２の対物レンズ部とを一体的に形成した光ピックアップ装置用の光学素子であって、第１の対物レンズ部又は第２の対物レンズ部の一方は、｜ＨＣＭ｜／｜ＴＣＭ｜＜０．３を満たし、他方は、｜ＨＣＭ｜／｜ＴＣＭ｜＞０．３を満たす光学素子とする。但し、ＨＣＭは、第１の対物レンズ部又は第２の対物レンズ部における画角３次コマ感度を表し、ＴＣＭは、第１の対物レンズ部又は第２の対物レンズ部における傾角３次コマ感度を表す。
2008075573.tif 000002
【特許請求の範囲】
【請求項１】
第１の対物レンズ部と第２の対物レンズ部とを一体的に形成した光ピックアップ装置用の光学素子であって、
前記第１の対物レンズ部又は前記第２の対物レンズ部の一方は、以下の条件式（１）を満たし、他方は、以下の条件式（２）を満たすことを特徴とする光学素子。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。
【請求項２】
前記光ピックアップ装置は、単一又は複数の光源と、前記光学素子とを有し、前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記光源からの光束を、前記第２の対物レンズ部を介して保護基板の厚さがｔ２（ｔ２≧ｔ１）である第２光情報記録媒体の情報記録面に集光させることにより、その情報記録面に対して情報の記録及び／又は再生が可能となっている光ピックアップ装置であることを特徴とする請求の範囲第１項に記載の光ピックアップ装置用の光学素子。
【請求項３】
前記第１の対物レンズ部が、前記条件式（１）を満たし、前記第２の対物レンズ部が、前記条件式（２）を満たすことを特徴とする請求の範囲第２項に記載の光学素子。
【請求項４】
前記第１の対物レンズ部が、前記条件式（２）を満たし、前記第２の対物レンズ部が、前記条件式（１）を満たすことを特徴とする請求の範囲第２項に記載の光学素子。
【請求項５】
前記光源は、波長がλ１の第一光束を出射する第一光源であり、前記第一光束が、前記第１の対物レンズ部を介して前記第１光情報記録媒体の情報記録面に集光され、前記第一光束が、前記第２の対物レンズ部を介して前記第２光情報記録媒体の情報記録面に集光されることを特徴とする請求の範囲第２項乃至第４項のいずれか１項に記載の光学素子。
【請求項６】
以下の条件式（３）、（４）を満たすことを特徴とする請求の範囲第５項に記載の光学素子。
０．０３≦ｔ１（ｍｍ）≦０．１４        （３）
０．５≦ｔ２（ｍｍ）≦０．８             （４）
【請求項７】
前記光学素子は、前記第１の対物レンズ部と前記第２の対物レンズとが一体成形により、一体的に形成されていることを特徴とする請求の範囲第１項乃至第６項のいずれか１項に記載の光学素子。
【請求項８】
前記光学素子は、前記第１の対物レンズ部と前記第２の対物レンズとを係合して、一体的に形成されていることを特徴とする請求の範囲第１項乃至第６項のいずれか１項に記載の光学素子。
【請求項９】
前記第１の対物レンズ部の３次コマ収差の方向と前記第２の対物レンズ部の３次コマ収差の方向とがなす角度が３０°以内であることを特徴とする請求の範囲第１項乃至第８項のいずれか１項に記載の光学素子。
【請求項１０】
前記光ピックアップ装置は、保護基板の厚さがｔ３（ｔ２≦ｔ３）である第３光情報記録媒体の情報記録面に光束を集光させることにより、その情報記録面に対して情報の記録及び／又は再生を行い、前記光源は、波長がλ１の第一光束を出射する第一光源と、波長がλ２（λ２＞λ１）の第２光束を出射する第二光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光されることを特徴とする請求の範囲第２項乃至第６項のいずれか１項に記載の光学素子。
【請求項１１】
前記光ピックアップ装置は、保護基板の厚さがｔ４（ｔ４＞ｔ３）である第４光情報記録媒体の情報記録面に光束を集光させることにより、その情報記録面に対して情報の記録及び／又は再生を行い、
前記光源は、波長がλ１の第一光束を出射する第一光源と、波長がλ２（λ２＞λ１）の第２光束を出射する第二光源と、波長がλ３（λ３＞λ２）の第三光束を出射する第三光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光され、
前記第三光束が、前記第２の対物レンズ部を介して前記第４光情報記録媒体の情報記録面に集光されることを特徴とする請求の範囲第１０項に記載の光学素子。
【請求項１２】
少なくとも前記第１の対物レンズ部及び前記第２の対物レンズ部の一方は、輪帯状の光路差付与構造を有することを特徴とする請求の範囲第１項乃至第９項のいずれか１項に記載の光学素子。
【請求項１３】
単一又は複数の光源と、第１の対物レンズ部と第２の対物レンズ部とを一体的に形成した光学素子とを有し、前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記光源からの光束を、前記第２の対物レンズ部を介して保護基板の厚さがｔ２（ｔ２≧ｔ１）である第２光情報記録媒体の情報記録面に集光させることにより、その情報記録面に対して情報の記録及び／又は再生が可能となっている光ピックアップ装置であって、
前記第１の光情報記録媒体又は前記第２の光情報記録媒体と、前記光学素子との相対的な傾きを変更させる相対傾き変更手段を有し、
前記第１の対物レンズ部又は前記第２の対物レンズ部の一方は、以下の条件式（１）を満たし、
他方は、以下の条件式（２）を満たすことを特徴とする光ピックアップ装置。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。
【請求項１４】
前記第１の対物レンズ部が、前記条件式（１）を満たし、前記第２の対物レンズ部が、前記条件式（２）を満たすことを特徴とする請求の範囲第１３項に記載の光ピックアップ装置。
【請求項１５】
前記第１の対物レンズ部が、前記条件式（２）を満たし、前記第２の対物レンズ部が、前記条件式（１）を満たすことを特徴とする請求の範囲第１３項に記載の光ピックアップ装置。
【請求項１６】
前記光源は、波長がλ１の第一光束を出射する第一光源であり、前記第一光束が、前記第１の対物レンズ部を介して前記第１光情報記録媒体の情報記録面に集光され、前記第一光束が、前記第２の対物レンズ部を介して前記第２光情報記録媒体の情報記録面に集光されることを特徴とする請求の範囲第１３項乃至第１５項のいずれか１項に記載の光ピックアップ装置。
【請求項１７】
以下の条件式（３）、（４）を満たすことを特徴とする請求の範囲第１６項に記載の光ピックアップ装置。
０．０３≦ｔ１（ｍｍ）≦０．１４        （３）
０．５≦ｔ２（ｍｍ）≦０．８             （４）
【請求項１８】
前記光学素子は、前記第１の対物レンズ部と前記第２の対物レンズとが一体成形により、一体的に形成されていることを特徴とする請求の範囲第１３項乃至第１７項のいずれか１項に記載の光ピックアップ装置。
【請求項１９】
前記光学素子は、前記第１の対物レンズ部と前記第２の対物レンズとを係合して、一体的に形成されていることを特徴とする請求の範囲第１３項乃至第１７項のいずれか１項に記載の光ピックアップ装置。
【請求項２０】
前記第１の対物レンズ部の３次コマ収差の方向と前記第２の対物レンズ部の３次コマ収差の方向とがなす角度が３０°以内であることを特徴とする請求の範囲第１３項乃至第１９項のいずれか１項に記載の光ピックアップ装置。
【請求項２１】
前記光ピックアップ装置は、保護基板の厚さがｔ３（ｔ２≦ｔ３）である第３光情報記録媒体の情報記録面に光束を集光させることにより、その情報記録面に対して情報の記録及び／又は再生を行い、
前記光源は、波長がλ１の第一光束を出射する第一光源と、波長がλ２（λ２＞λ１）の第２光束を出射する第二光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光されることを特徴とする請求の範囲第１３項乃至第２０項のいずれか１項に記載の光ピックアップ装置。
【請求項２２】
前記光ピックアップ装置は、保護基板の厚さがｔ４（ｔ４＞ｔ３）である第４光情報記録媒体の情報記録面に光束を集光させることにより、その情報記録面に対して情報の記録及び／又は再生を行い、
前記光源は、波長がλ１の第一光束を出射する第一光源と、波長がλ２（λ２＞λ１）の第２光束を出射する第二光源と、波長がλ３（λ３＞λ２）の第三光束を出射する第三光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光され、
前記第三光束が、前記第２の対物レンズ部を介して前記第４光情報記録媒体の情報記録面に集光されることを特徴とする請求の範囲第２１項に記載の光ピックアップ装置。
【請求項２３】
少なくとも前記第１の対物レンズ部及び前記第２の対物レンズ部の一方は、輪帯状の光路差付与構造を有することを特徴とする請求の範囲第１３項乃至第２２項のいずれか１項に記載の光ピックアップ装置。
【請求項２４】
単一又は複数の光源と、第１の対物レンズ部と第２の対物レンズ部とを一体的に形成した光学素子を有し、
前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記光源からの光束を、前記第２の対物レンズ部を介して保護基板の厚さがｔ２（ｔ２≧ｔ１）である第２光情報記録媒体の情報記録面に集光させることにより、その情報記録面に対して情報の記録及び／又は再生が可能となっている光ピックアップ装置の組立方法であって、
前記第１の対物レンズ部又は前記第２の対物レンズ部の一方は、以下の条件式（１）を満たし、他方は、以下の条件式（２）を満たしており、
前記第１の対物レンズ部と前記第２の対物レンズ部のうち、前記条件式（１）を満たしている前記対物レンズ部を介して前記光源からの光束を第１光情報記録媒体の情報記録面に集光させるようにした時、集光スポットのコマ収差が軽減するよう、前記光学素子の傾きを調整するステップと、
前記第１の対物レンズ部と前記第２の対物レンズ部のうち、前記条件式（２）を満たしている前記対物レンズ部を介して前記光源からの光束を、前記第２光情報記録媒体の情報記録面に集光させるようにした時、集光スポットのコマ収差が軽減するよう、前記光源に関してシフト調整処理を行なうステップとを有することを特徴とする光ピックアップ装置の組み立て方法。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。
【発明の詳細な説明】
【技術分野】
【０００１】
本発明は、異なる種類の光情報記録媒体（光ディスクともいう）に対して互換可能に情報の記録及び／又は再生を行える光ピックアップ装置用の光学素子及びそれを用いた光ピックアップ装置並びに光ピックアップ装置の組み立て方法に関する。 
【背景技術】
【０００２】
近年、波長４００ｎｍ程度の青紫色半導体レーザを用いて、情報の記録及び／又は再生を行える高密度光ディスクシステムの研究・開発が急速に進んでいる。一例として、ＮＡ０．６５、光源波長４０５ｎｍの仕様で情報記録及び／又は再生を行う光ディスク、いわゆるＨＤ  ＤＶＤ（以下、ＨＤという）では、直径１２ｃｍの光ディスクに対して、１層あたり１５〜２０ＧＢの情報の記録が可能である。また、別の例として、ＮＡ０．８５、光源波長４０５ｎｍの仕様で情報記録及び／又は再生を行う光ディスク、いわゆるＢｌｕ−ｒａｙ  Ｄｉｓｃ（以下、ＢＤという）では、直径１２ｃｍの光ディスクに対して、１層あたり２３〜２７ＧＢの情報の記録が可能である。以下、本明細書では、このような光ディスクを「高密度光ディスク」と呼ぶ。高密度光ディスクに対して情報の記録及び／又は再生を行える光ピックアップ装置においては、良好な光学特性を得るためにガラス製の対物レンズが用いられる場合がある。【０００３】
また、現在において、多種多様な情報を記録したＤＶＤやＣＤ（コンパクトディスク）が販売されている現実をふまえると、一台のプレーヤーで可能な限り様々なタイプの光ディスクに対して適切に情報の記録及び／又は再生ができるようにすることが望まれている。更に、光ピックアップ装置がノート型パソコン等に搭載されることが多い実情をふまえると、複数種の光ディスクに対する互換性を有するのみでは足らず、そのコンパクト化を実現する事が重要である。【０００４】
ここで、光ピックアップ装置において、単一の対物レンズを用いて異なる光ディスクの互換使用が可能になれば、コンパクト化を実現する上で好ましいと言える。ところが、高密度光ディスクの仕様を考慮すると、対物レンズの共通化を図ることは技術的に難易度が高く、コストアップになる可能性がある。特に、ＢＤとＨＤとでは、保護基板厚が異なるにも関わらず、同じ波長の光束を使用するので、回折構造を用いて収差補正を行うことができず、対物レンズの共通化が難しいという実情がある。【０００５】
また、コンパクト化のためにＤＶＤ／ＣＤ互換レンズは既に実用化されているものの、ＣＤのＷＤ（ワーキングディスタンス）をある程度確保しなければならず、また、ＤＶＤ有効径はＣＤ有効径よりも大きくなるため、それにより互換レンズの外径が大きくなる傾向がある。これに対しＤＶＤ用、ＣＤ用にそれぞれ専用レンズを用いれば、ＣＤ側ＷＤの制限に関わりなくＤＶＤ用レンズを小さくする事ができる。しかしながら、レンズが２つになることによりアクチュエータが大きくなり、また可動部が重くなるため、高いアクチュエータ感度を得ることが難しくなり、また周波数特性が悪くなるという問題が生じる。【０００６】
上述の課題を解決するためには、レンズを並列に並べて一体成形した複合光学素子を用いることが考えられる。このような複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。このような複合光学素子の例としては、特許文献１に記載されたものがある。
【特許文献１】特開平９−１１５１７０号公報
【発明の開示】
【発明が解決しようとする課題】
【０００７】
ところで、２つの対物レンズ部を一体的に成形した光学素子を用いる場合、コマ収差についての問題が発生する。かかる問題を図１を参照して具体的に説明する。【０００８】
たとえば、図１(a)において、光学素子ＯＥにおける開口数ＮＡが大きな第１の対物レンズ部ＯＢＪ１は、透明基板厚ｔ１が薄い第１の光ディスク（光情報記録媒体）ＯＤ１に対して、球面収差がほぼ完全に補正され、回折限界内の性能を確保するよう設計されているものとする。しかし、第１の対物レンズ部ＯＢＪ１自身の製造誤差あるいは光ピックアップ装置への取り付け誤差によって、第１のディスクＯＤ１に垂直入射するように調整された平行光が入射しても、第１のディスクＯＤ１の情報記録面上に集光されたスポットはコマ収差ＣＡが発生する場合がある。かかる場合、図１(b)に示すように、光学素子ＯＥ全体を傾けることにより、第１の対物レンズ部ＯＢＪ１の取り付け誤差や、第１の対物レンズ部ＯＢＪ１自身が持っているコマ収差ＣＡを補正することが可能となる。【０００９】
一方、光学素子ＯＥにおける開口数ＮＡが小さな第２の対物レンズ部ＯＢＪ２は、透明基板厚ｔ２がより厚い（ｔ１＞ｔ２）第２の光ディスクＯＤ２に対して、球面収差がほぼ完全に補正され、回折限界内の性能を確保するよう設計されている。従って、透明基板の厚みｔ２が第２のディスクＤＳＣ２を記録或いは再生するときには、第２の対物レンズ部ＯＢＪ２に平行光を入射させる。【００１０】
ここで、第１の光ディスクＯＤ１に対して情報の記録或いは再生を行う際に、光学素子ＯＥ全体を傾けて調整を行なっているため、第１の対物レンズ部ＯＢＪ１と一体的に形成されている第２の対物レンズ部ＯＢＪ２も一緒に傾くことになる。ところが、第２の対物レンズ部ＯＢＪ２のコマ収差と、第１の対物レンズ部ＯＢＪ１のコマ収差とは常に同一特性ではないため、同じように傾けても第２の対物レンズ部ＯＢＪ２においては別なコマ収差が発生する場合が多い（図１（ｃ）参照）。このように、２つの対物レンズを一体的に形成したレンズにおいては、２つのレンズの間の相対的な傾きを調整することができないため、一方のレンズについて傾き調整を行った場合、他方のレンズについて記録及び／又は再生特性が劣化してしまうという問題が生じる。また、かかる場合、第２の光ディスクＯＤ２の記録及び／又は再生特性が低下することを防止するためには、第２のディスクＯＤ２の情報媒体面上に集光されたスポットにおけるコマ収差ＣＡが小さくなるように、光学素子ＯＥ全体を別な方向に傾ける必要が生じる。しかるに、対物レンズ部ＯＢＪ２のコマ収差ＣＡの大きさと方向は、対物レンズ部ＯＢＪ２自身が持っているコマ収差と、対物レンズ部ＯＢＪ１のコマ収差ＣＡの補正状態に依存するため、バラツキが生じる。よって、対物レンズ部ＯＢＪ２のコマ収差ＣＡを補正するためには、大型で複雑化な補正機構が必要となり、省エネが図れず、又、コンパクト化も阻害するという問題がある。【００１１】
本発明は、かかる従来技術の問題に鑑みてなされたものであり、光ディスクに対して互換可能に情報の記録及び／又は再生を適切に行うために、２つの対物レンズ部を一体的に形成してなる光ピックアップ装置用の光学素子と、それを用いた光ピックアップ装置並びに光ピックアップ装置の組み立て方法を提供することを目的とする。
【課題を解決するための手段】
【００１２】
本明細書においては、情報の記録及び／又は再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録及び／又は再生を行い、保護層の厚さが０．１ｍｍ程度である規格の光ディスク（例えば、ＢＤ：ブルーレイディスク）の他に、ＮＡ０．６５乃至０．６７の対物光学系により情報の記録及び／又は再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録及び／又は再生用の光源として、青紫色半導体レーザや青紫色ＳＨＧレーザを使用する光磁気ディスクも含まれるものとする。 【００１３】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、高密度光ディスクが最も高く、次いでＤＶＤ、ＣＤの順に低くなる。 【００１４】
請求の範囲第１項に記載の光ピックアップ装置用の光学素子は、第１の対物レンズ部と第２の対物レンズ部とを一体的に形成した光ピックアップ装置用の光学素子であって、
前記第１の対物レンズ部又は前記第２の対物レンズ部の一方は、以下の条件式（１）を満たし、他方は、以下の条件式（２）を満たすことを特徴とする。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。【００１５】
図２（ａ）、（ｂ）は、光源ＬＤと、対物レンズＯＢＪと、光ディスクＯＤからなる系を示す概略図である。本来的には、図２（ａ）の点線の光源ＬＤと実線の対物レンズＯＢＪ、或いは図２（ｂ）の実線の光源ＬＤと点線の対物レンズＯＢＪの関係のように、光ディスクＯＤの法線と対物レンズＯＢＪの光軸が一致し、これらを含む直線Ｌ上に光源ＬＤがあるような配置（理想配置）が好ましい。この理想配置に対して、図２（ａ）に示すように光源ＬＤが直線Ｌに対して光軸直交方向にシフトすると、光ディスクＯＤの情報記録面に結像されるスポットＡに３次コマ収差が発生する。一方、理想配置に対して、図２（ｂ）に示すように対物レンズＯＢＪが直線Ｌに対して角度θ傾く（チルトする）と、光ディスクＯＤの情報記録面に結像されるスポットＢに３次コマ収差が発生する。【００１６】
ここで、対物レンズが条件式（１）を満たす場合、３次コマ収差は光源のシフトによって発生する対物レンズの入射角にあまり依存せず、小さな値を維持する一方で、対物レンズのチルト角に対する依存性は大きくなる。一方、対物レンズが条件式（２）を満たす場合、条件式（１）を満たす場合に比べレンズチルト角による３次コマ収差発生量は軽減されるが、一方で対物レンズの入射角に対する依存性が高くなる。【００１７】
従って、条件式（２）を満たす場合は、図２（ｂ）に示すように、対物レンズＯＢＪがチルト（傾き）を起こすことによって、光ディスクＯＤの情報記録面に結像されるスポットＢに３次コマ収差が生じた場合、傾角に対するその３次コマ収差量は比較的小さく抑えられるが、図２（ａ）に示すように、光源ＬＤが直線Ｌに対して光軸直交方向にシフトしたときに、光ディスクＯＤの情報記録面に結像されるスポットＡに３次コマ収差が生じた場合、シフト量に対するその３次コマ収差量は比較的大きくなるという特性を有する。【００１８】
より具体的に図１を参照して説明すると、光学素子ＯＥの第１の対物レンズ部ＯＢＪ１において条件式（１）を満たすようにすると、コマ収差の観点から、光源シフトに対しては許容範囲が比較的広いがチルトに対しては許容範囲が比較的狭いという特性を有するようになる。そこで、図１（ｂ）に示すように、光学素子ＯＥ全体を傾けるようにして第１の対物レンズ部ＯＢＪ１のチルト調整を行い、第１の光ディスクＯＤ１の情報記録面に対して情報の記録及び／又は再生を行えるようにしている。一方、第２の対物レンズ部ＯＢＪ２においては条件式（２）を満たすようにすると、コマ収差の観点から、光源シフトに対しては比較的許容範囲が狭いがチルトに対しては許容範囲が比較的広いという特性を有するようになる。【００１９】
ここで、光ピックアップ装置の組み立て時に、第１の光ディスクＯＤ１に対して、第１の対物レンズ部ＯＢＪ１による集光スポットのコマ収差を低減させるべく光学素子ＯＥ全体を傾けたとき、同様に第２の対物レンズ部ＯＢＪ２も傾くが（図１（ｃ）参照）、このように傾いた状態でも、第２の対物レンズ部ＯＢＪ２は、チルトに対しては許容範囲が比較的広いので、コマ収差を小さく抑えることができる。一方、第２の光ディスクＯＤ２に対して、第２の対物レンズ部ＯＢＪ２による集光スポットのコマ収差を低減させるには、光源シフトを行えばよい。この時、第１、第２それぞれの光ディスクに対応する光源が共通、あるいは２波長１パッケージレーザの場合でも、第１の対物レンズ部ＯＢＪ１は光源シフトに対して許容範囲が比較的広いので、３次コマ収差を小さく抑えることができるため、第１の光ディスクＯＤ１使用時でも適切に情報の記録及び／又は再生を行うことができる。従って光学素子ＯＥを、使用する光ディスク毎に傾け直すことがないので、小型のアクチュエータを設ければ足り、省エネに優れコンパクトな光ピックアップ装置を提供できる。尚、この説明の例においては、透明基板の厚みが薄い光情報記録媒体に対応する対物レンズ部が条件式（１）を満たすものとして説明したが、これに限られない。【００２０】
尚、「画角３次コマ感度」とは、透明基板を有する光情報記録媒体とレンズとを有する系において、光情報記録媒体とレンズの相対的な傾きは変化させず、レンズに対する入射光束のみが１°傾いた場合に変化する、透明基板を介した光束が光情報記録媒体の情報記録面で形成するスポットの３次コマのＷＦＥλｒｍｓの値をいう。「傾角３次コマ感度」とは、透明基板を有する光情報記録媒体とレンズとを有する系において、光情報記録媒体と入射光束の傾きは変化させず、レンズのみが１°傾いた場合に変化する、透明基板を介した光束が光情報記録媒体の情報記録面で形成するスポットの３次コマのＷＦＥλｒｍｓの値をいう。又、「第１の対物レンズ部と第２の対物レンズ部とを一体的に形成した光学素子」とは、第１の対物レンズ部と第２の対物レンズ部が融合している場合（例えば、第１の対物レンズ部と第２の対物レンズ部とを有する光学素子を射出成形などにより得る場合）だけでなく、第１の対物レンズ部を有する光学素子と第２の対物レンズ部を有する光学素子とを別々に成形し、後で嵌合させることなどにより一体化した光学素子であってもよい。【００２１】
また、対物レンズ部は、一つの対物レンズ部が、専用レンズとして、一種の光情報記録媒体のみに対応していてもよいし、一つの対物レンズ部が、互換レンズとして、異なる波長の光束を用いる複数の種類の光情報記録媒体に対応していてもよい。例えば、対物レンズ部が専用レンズである場合、対物レンズ部の光学面は屈折面のみであってもよい。一方、対物レンズ部が互換レンズである場合、対物レンズ部の光学面は、互換のための回折構造などの光路差付与構造を有していても良い。尚、対物レンズ部が、互換レンズである場合、当該対物レンズ部を少なくとも一つの情報記録媒体に使用する際に、本発明の条件式を満たせば良い。更には、対物レンズ部が、互換レンズである場合、当該対物レンズ部が対応している光情報記録媒体の中で最も短い波長を使用する光情報記録媒体を使用する際に、当該対物レンズ部が、本発明の条件式を満たすことが好ましい。尚、光学素子は、第１の対物レンズ部及び第２の対物レンズ部に加えて、第３の対物レンズ部や第４の対物レンズ部を有していてもよい。例えば、光学素子が第１の対物レンズ部、第２の対物レンズ部及び第３の対物レンズ部を一体的に形成したものである場合、第１の対物レンズ部で第１光情報記録媒体の記録及び／又は再生を行い、第２の対物レンズ部で第２光情報記録媒体の記録及び／又は再生を行い、第３の対物レンズ部で第３光情報記録媒体及び第４光情報記録媒体の記録及び／又は再生を行う態様などが考えられる。【００２２】
請求の範囲第２項に記載の光ピックアップ装置用の光学素子は、請求の範囲第１項に記載の発明において、前記光ピックアップ装置は、単一又は複数の光源と、前記光学素子とを有し、前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記光源からの光束を、前記第２の対物レンズ部を介して保護基板の厚さがｔ２（ｔ２≧ｔ１）である第２光情報記録媒体の情報記録面に集光させることにより、その情報記録面に対して情報の記録及び／又は再生が可能となっている光ピックアップ装置であることを特徴とする。本発明によれば、少なくとも２種類の異なる光情報記録媒体に対して情報の記録及び／又は再生を行うことができる。【００２３】
請求の範囲第３項に記載の光ピックアップ装置用の光学素子は、請求の範囲第２項に記載の発明において、前記第１の対物レンズ部が、前記条件式（１）を満たし、前記第２の対物レンズ部が、前記条件式（２）を満たすことを特徴とする。【００２４】
例えば、実動作時（光ディスクの記録又は再生時）に、光ディスクの傾きによる３次コマ収差の補正が必要な光ディスク（例えば、ＢＤ、ＨＤ、記録用のＤＶＤ等）に対しては、条件式（１）を満たす第１の対物レンズ部を使用すれば、既に実用化されている対物光学素子ティルト機能付きアクチュエータにより、実動作時においても３次コマ収差を補正できる。また、光ピックアップ装置の組み立て時には、光学素子を傾けることにより、３次コマ収差を補正できる。尚、光学素子を傾けるかわりに、液晶などのコマ収差補正手段によってコマ収差を補正するようにしても良い。また、光学素子を傾けることと液晶などのコマ収差補正手段とを組み合わせて使用しても良い。一方、実動作時に光ディスクの傾きによる３次コマ収差補正が必要ない光ディスクに対しては、条件式（２）を満たす第２の対物レンズ部を使用すればよい。このとき、光ピックアップ装置の組み立て時には、光源をシフトさせることによりコマ収差を補正できる。即ち、一方の対物レンズ部を使用する際、光ディスクの傾きによって発生する３次コマ収差を、実動作時に光学素子を傾ける機構や液晶などのコマ収差補正素子によって補正する場合は、上記条件式を満たすことが好ましい。尚、一般的には、記録密度が大きな光ディスクは、良好なスポットを形成する必要性が高く、そのため、実動作時に３次コマ収差を補正することがより必要となる。例えば、第１の対物レンズ部でＢＤの記録及び／又は再生を行い、第２の対物レンズ部でＤＶＤとＣＤの記録及び／又は再生を行う場合、第１の対物レンズ部で実動作時に３次コマ収差を補正することが好ましいため、第１の対物レンズ部が条件式（１）を満たし、第２の対物レンズ部が条件式（２）を満たすことが好ましい。また、第１の対物レンズ部でＨＤの記録及び／又は再生を行い、第２の対物レンズ部でＤＶＤとＣＤの記録及び／又は再生を行う場合も、第１の対物レンズ部で実動作時に３次コマ収差を補正することが好ましいため、第１の対物レンズ部が条件式（１）を満たし、第２の対物レンズ部が条件式（２）を満たすことが好ましい。また、第１の対物レンズ部でＢＤとＨＤの記録及び／又は再生を行い、第２の対物レンズ部でＤＶＤとＣＤの記録及び／又は再生を行う場合、第１の対物レンズ部で実動作時に３次コマ収差を補正することが好ましいため、第１の対物レンズ部が条件式（１）を満たし、第２の対物レンズ部が条件式（２）を満たすことが好ましい。【００２５】
請求の範囲第４項に記載の光ピックアップ装置用の光学素子は、請求の範囲第２項に記載の発明において、前記第１の対物レンズ部が、前記条件式（２）を満たし、前記第２の対物レンズ部が、前記条件式（１）を満たすことを特徴とする。【００２６】
例えば、対物レンズ部の傾きに対する３次コマ収差発生量の度合いが大きい仕様（ＮＡが大きい、透明基板が厚いなど）、即ち光ディスクのティルト感度が大きい光ディスクに対しては、条件式（２）を満たす対物レンズを用いれば、光学素子（対物レンズ部）が傾くことにより発生する３次コマ収差が小さいので、アクチュエータ駆動時の光学素子の姿勢（チルト）に対する要求精度が緩和され、アクチュエータの製作が容易となる。また、光ピックアップ装置の組み立て時には、光源をシフトさせることにより、３次コマ収差を補正できる。この場合、実動作時の光ディスクの傾きによる３次コマ収差の補正を行いたい場合は、光ピックアップ装置全体を傾ける事により行なうことが可能である。また、他方の対物レンズ部については、条件式（１）を満たすことにより、光ピックアップ装置の組み立て時に光学素子を大きく傾けることなく３次コマ収差を補正する事が可能となる。【００２７】
加えて、いずれかの対物レンズ部でＢＤの記録及び／又は再生を行い、他方の対物レンズ部でＨＤの記録及び／又は再生を行う場合は、本条件を満たすことが特に好ましい。ＢＤに比してＨＤの方が、実動作時に光ディスクの傾きによる３次コマ収差の補正をする必要性が高い。また、光ピックアップ装置において実動作時に３次コマ収差の補正を行う事を考えると、光ピックアップ装置の小型化、薄型化を図るには、光学素子（及びアクチュエータの光学素子ホルダ部など）をティルトさせることにより補正することが好ましい。この場合、効率的に補正するためには、光学素子を大きく傾けることなく、３次コマ収差を補正できるようにしたい。従って、ＨＤの記録及び／又は再生に用いられる対物レンズ部が条件式（１）を満たすことが好ましい。また、ＨＤに対応する対物レンズ部が条件式（１）を満たしていれば、小さな角度を傾ける事によって、光ピックアップ装置の組み立て時の調整を行なえるので好ましい。尚、光学素子を傾けるかわりに、液晶などのコマ収差補正手段によってコマ収差を補正するようにしても良い。また、光学素子を傾けることと液晶などのコマ収差補正手段とを組み合わせて使用しても良い。【００２８】
請求の範囲第５項に記載の光ピックアップ装置用の光学素子は、請求の範囲第２項乃至第４項のいずれかに記載の発明において、前記光源は、波長がλ１の第一光束を出射する第一光源であり、前記第一光束が、前記第１の対物レンズ部を介して前記第１光情報記録媒体の情報記録面に集光され、前記第一光束が、前記第２の対物レンズ部を介して前記第２光情報記録媒体の情報記録面に集光されることを特徴とする。【００２９】
例えば上述のＢＤとＨＤの例において、ＢＤとＨＤとは同一の波長の光束を用いるため、共通の光源を使用する可能性が高い。その場合、光ピックアップ装置組み立て時の３次コマ収差の補正は、条件式（１）を満たしている対物レンズ部（例えばＨＤ用対物レンズ部）に対しては光学素子の傾きによる補正を行い、条件式（２）を満たしている対物レンズ部（例えばＢＤ用対物レンズ部）に対しては、光源のシフト調整を行えばよい。尚、本例において、ＢＤに対応する対物レンズ部に対して光源のシフト調整を行うと、ＨＤに対応する対物レンズ部も、当該光源シフトによる影響を受ける事になるが、ＨＤに対応する対物レンズ部は光源シフトに対する許容度が大きいため、光源のシフト調整を行なったとしてもＨＤの記録及び／又は再生に大きな影響を与える事はない。必要があれば、光源のシフト調整を行なった後、光学素子の傾き角度を調整して、ＨＤに対する調整を再度行なっても良い。これらの調整を繰り返し行なえば、より調整精度を高められる。ここで、波長λ１は３５０ｎｍ以上、４４０ｎｍ以下であることが好ましい。【００３０】
請求の範囲第６項に記載の光ピックアップ装置用の光学素子は、請求の範囲第５項に記載の発明において、以下の条件式（３）、（４）を満たすことを特徴とする。
０．０３≦ｔ１（ｍｍ）≦０．１４        （３）
０．５≦ｔ２（ｍｍ）≦０．８            （４）
第１光情報記録媒体及び第２光情報記録媒体は複数の記録層を有していてもよいし、単一の記録層を有していてもよい。特に第１光情報記録媒体が単一の記録層のみからなる場合は、基板厚ｔ１は、０．０７ｍｍ以上、０．１１２５ｍｍ以下であることが好ましい。また、第１光情報記録媒体がＢＤであって、複数の記録層を有する場合、４層、６層、８層または１０層の記録層を有することが好ましい。尚、第１光情報記録媒体であるＢＤが４層、６層又は８層の記録層を有する場合は、ｔ１の値が０．０３ｍｍ以上、０．１３ｍｍ以下であることが好ましい。また、第２光情報記録媒体がＨＤであって、複数の記録層を有する場合、３層の記録層を有することが好ましい。例えば、第１の対物レンズ部がＢＤに対応し、第２の対物レンズ部がＨＤに対応する例が挙げられる。このとき、第２の対物レンズ部は、ＨＤのみに対応する専用レンズであってもよいし、ＨＤの他に、ＤＶＤ及び／又はＣＤにも対応する互換レンズであってもよい。【００３１】
請求の範囲第７項に記載の光ピックアップ装置用の光学素子は、請求の範囲第１項乃至第６項のいずれかに記載の発明において、前記光学素子は、前記第１の対物レンズ部と前記第２の対物レンズとが一体成形により、一体的に形成されていることを特徴とする。例えば、第１の対物レンズ部と第２の対物レンズ部とを有する光学素子を射出成形などにより得る場合などが、本項の態様として当てはまる。【００３２】
請求の範囲第８項に記載の光ピックアップ装置用の光学素子は、請求の範囲第１項乃至第６項のいずれかに記載の発明において、前記光学素子は、前記第１の対物レンズ部と前記第２の対物レンズとを係合して、一体的に形成されていることを特徴とする。例えば、第１の対物レンズ部を有する光学素子と第２の対物レンズ部を有する光学素子とを別々に成形し、後で嵌合させることなどにより一体化した光学素子などは、本項の態様として当てはまる。【００３３】
請求の範囲第９項に記載の光ピックアップ装置用の光学素子は、請求の範囲第１項乃至第８項のいずれかに記載の発明において、前記第１の対物レンズ部の３次コマ収差の方向と前記第２の対物レンズ部の３次コマ収差の方向とがなす角度が３０°以内であることを特徴とする。【００３４】
前記第１の対物レンズ部と前記第２の対物レンズ部の３次コマ収差の方向を合わせることにより、第１の対物レンズ部を傾けて３次コマ収差の補正を行う場合に、それに伴い第２の対物レンズ部の３次コマ収差もある程度補正されることになるため好ましい。また、この場合、特に条件式（２）を満たす対物レンズ部が、以下の条件式（２’）を満たすことが好ましい。
０．６＞｜ＨＣＭ｜／｜ＴＣＭ｜＞０．３        （２’）
ここで、３次コマ収差の方向について説明する。図１６（ａ）は、第１対物レンズ部ＯＢＪ１と第２対物レンズ部ＯＢＪ２とを有する光学素子ＯＥを集光スポット側から見た図である。この平面図上において、ここでは、第１対物レンズ部ＯＢＪ１の光軸Ｌ１と第２対物レンズ部ＯＢＪ２の光軸Ｌ２とを通る直線をＸ軸とし、光軸Ｌ１を通りＸ軸に直交する方向をＹ１軸とし、光軸Ｌ２を通りＸ軸に直交する方向をＹ２軸とする。図１６（ｂ）、（ｃ）は、図１６（ａ）に示す第１対物レンズ部ＯＢＪ１と第２対物レンズ部ＯＢＪ２により集光されたスポット像を示す図であり、図１６（ａ）と同様に座標軸を決めている。【００３５】
第１対物レンズ部ＯＢＪ１と第２対物レンズ部ＯＢＪ２とが３次コマ収差を有する場合、図１６（ｂ）、（ｃ）に示すように、それぞれ集光スポットＳＰ１、ＳＰ２の周囲に形成される１次回折リングＤＲ１、ＤＲ２の強度に偏りが生じる。この１次回折リングＤＲ１、ＤＲ２の偏り方向（光軸から１次回折リングの中央に向かう方向）を、３次コマ収差の方向とする。ここで、Ｙ１軸、Ｙ２軸の方向を基準とし右回りを正とすると、図１６（ｂ）の例では、第１対物レンズ部ＯＢＪ１及び第２対物レンズ部ＯＢＪ２共に、３次コマ収差の方向は０°の方向であり、図１６（ｃ）の例では、第１対物レンズ部ＯＢＪ１の３次コマ収差の方向は１３５°の方向であり、第２対物レンズ部ＯＢＪ２の３次コマ収差の方向は２７０°の方向である。【００３６】
ここで、第１対物レンズ部ＯＢＪ１又は第２対物レンズ部ＯＢＪ２が複数種の光ディスクに対して情報の記録および／または再生に使用されるもの（いわゆる互換対物レンズ）であって、その情報の記録および／または再生の際に光ディスクの種類によっては波長が異なる光束が使用される場合には、特に指定しない場合はその最も短い波長の光束に対する３次コマ収差の方向を、当該対物レンズ部においては「３次コマ収差の方向」として定義する。【００３７】
請求の範囲第１０項に記載の光ピックアップ装置用の光学素子は、請求の範囲第２項乃至第６項の何れか１項に記載の発明において、前記光ピックアップ装置は、保護基板の厚さがｔ３（ｔ２≦ｔ３）である第３光情報記録媒体の情報記録面に光束を集光させることにより、その情報記録面に対して情報の記録及び／又は再生を行い、前記光源は、波長がλ１の第一光束を出射する第一光源と、波長がλ２（λ２＞λ１）の第２光束を出射する第二光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光されることを特徴とする。
本発明によれば、少なくとも３種類の異なる光情報記録媒体に対して情報の記録及び／又は再生を行うことができる。なお、ｔ３は、０．５ｍｍ以上、０．８ｍｍ以下である事が好ましい。また、λ２は、６００ｎｍ以上、７００ｎｍ以下である事が好ましい。【００３８】
請求の範囲第１１項に記載の光ピックアップ装置用の光学素子は、請求の範囲第１０項に記載の発明において、前記光ピックアップ装置は、保護基板の厚さがｔ４（ｔ４＞ｔ３）である第４光情報記録媒体の情報記録面に光束を集光させることにより、その情報記録面に対して情報の記録及び／又は再生を行い、
前記光源は、波長がλ１の第一光束を出射する第一光源と、波長がλ２（λ２＞λ１）の第２光束を出射する第二光源と、波長がλ３（λ３＞λ２）の第三光束を出射する第三光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光され、
前記第三光束が、前記第２の対物レンズ部を介して前記第４光情報記録媒体の情報記録面に集光されることを特徴とする。
本発明によれば、少なくとも４種類の異なる光情報記録媒体に対して情報の記録及び／又は再生を行うことができる。ここで、第１光ディスクの好ましい例はＢＤ、第２光ディスクの好ましい例はＨＤ、第３光ディスクの好ましい例はＤＶＤ、第４光ディスクの好ましい例はＣＤである。なお、ｔ４は、１．０ｍｍ以上、１．３ｍｍ以下である事が好ましい。また、λ３は、７００ｎｍ以上、８００ｎｍ以下である事が好ましい。【００３９】
なお、本発明の光学素子が適用できる光情報記録媒体と対物レンズ部の組み合わせは、上述の例に限られず、以下のような態様にも適用可能である。例えば、光ピックアップ装置は、保護基板の厚さがｔ３（ｔ２≦ｔ３）である第３光情報記録媒体の情報記録面に光束を集光させることにより、その情報記録面に対して情報の記録及び／又は再生を行い、
保護基板の厚さがｔ４（ｔ４＞ｔ３）である第４光情報記録媒体の情報記録面に光束を集光させることにより、その情報記録面に対して情報の記録及び／又は再生を行い、光源は、波長がλ１の第一光束を出射する第一光源と、波長がλ２（λ２＞λ１）の第２光束を出射する第二光源と、波長がλ３（λ３＞λ２）の第三光束を出射する第三光源とを有し、第一光束が、第１の対物レンズ部を介して第１光情報記録媒体の情報記録面に集光され、第一光束が、第１の対物レンズ部を介して第２光情報記録媒体の情報記録面に集光され、第二光束が、第２の対物レンズ部を介して第３光情報記録媒体の情報記録面に集光され、第三光束が、第２の対物レンズ部を介して第４光情報記録媒体の情報記録面に集光される態様である。ここで、第１光情報記録媒体の好ましい例はＢＤ、第２光情報記録媒体の好ましい例はＨＤ、第３光情報記録媒体の好ましい例はＤＶＤ、第４光情報記録媒体の好ましい例はＣＤである。【００４０】
請求の範囲第１２項に記載の光ピックアップ装置用の光学素子は、請求の範囲第１項乃至第９項のいずれかに記載の発明において、少なくとも前記第１の対物レンズ部及び前記第２の対物レンズ部の一方は、輪帯状の光路差付与構造を有することを特徴とする。【００４１】
輪帯状の光路差付与構造としては、輪帯状の回折構造やある光情報記録媒体に対して専用の領域に分割された構造などが挙げられる。当該光路差付与構造によって、温度や湿度の変化時に発生する球面収差変化の補正や、波長変化時に発生する球面収差変化の補正を行なっても良いし、当該光路差付与構造によって、透明基板の厚さや必要ＮＡ（開口数）の異なる複数の光情報記録媒体の記録及び／又は再生時に発生する球面収差の違いを、用いられる光束の波長の違いを利用して補正し、一つの対物レンズ部で複数の光情報記録媒体の記録及び／又は再生を可能とするようにしてもよいし、ある領域を通過した光束をある光情報記録媒体の情報記録面上に集光させ、他の領域を通過した光束を他の光情報記録媒体の情報記録面上に集光させるようにしてもよい。【００４２】
請求の範囲第１３項に記載の光ピックアップ装置は、単一又は複数の光源と、第１の対物レンズ部と第２の対物レンズ部とを一体的に形成した光学素子とを有し、前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記光源からの光束を、前記第２の対物レンズ部を介して保護基板の厚さがｔ２（ｔ２≧ｔ１）である第２光情報記録媒体の情報記録面に集光させることにより、その情報記録面に対して情報の記録及び／又は再生が可能となっている光ピックアップ装置であって、
前記第１の光情報記録媒体又は前記第２の光情報記録媒体と、前記光学素子との相対的な傾きを変更させる相対傾き変更手段を有し、
前記第１の対物レンズ部又は前記第２の対物レンズ部の一方は、以下の条件式（１）を満たし、
他方は、以下の条件式（２）を満たすことを特徴とする。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。
本発明の作用効果は、請求の範囲第１項及び第２項に記載の発明と同様である。【００４３】
請求の範囲第１４項に記載の光ピックアップ装置は、請求の範囲第１３項に記載の発明において、前記第１の対物レンズ部が、前記条件式（１）を満たし、前記第２の対物レンズ部が、前記条件式（２）を満たすことを特徴とする。本発明の作用効果は、請求の範囲第３項に記載の発明と同様である。【００４４】
請求の範囲第１５項に記載の光ピックアップ装置は、請求の範囲第１３項に記載の発明において、前記第１の対物レンズ部が、前記条件式（２）を満たし、前記第２の対物レンズ部が、前記条件式（１）を満たすことを特徴とする。本発明の作用効果は、請求の範囲第４項に記載の発明と同様である。【００４５】
請求の範囲第１６項に記載の光ピックアップ装置は、請求の範囲第１３項乃至第１５項のいずれかに記載の発明において、前記光源は、波長がλ１の第一光束を出射する第一光源であり、前記第一光束が、前記第１の対物レンズ部を介して前記第１光情報記録媒体の情報記録面に集光され、前記第一光束が、前記第２の対物レンズ部を介して前記第２光情報記録媒体の情報記録面に集光されることを特徴とする。
本発明の作用効果は、請求の範囲第５項に記載の発明と同様である。【００４６】
請求の範囲第１７項に記載の光ピックアップ装置は、請求の範囲第１６項に記載の発明において、以下の条件式（３）、（４）を満たすことを特徴とする。
０．０３≦ｔ１（ｍｍ）≦０．１４        （３）
０．５≦ｔ２（ｍｍ）≦０．８             （４）
本発明の作用効果は、請求の範囲第６項に記載の発明と同様である。【００４７】
請求の範囲第１８項に記載の光ピックアップ装置は、請求の範囲第１３項乃至第１７項のいずれかに記載の発明において、前記光学素子は、前記第１の対物レンズ部と前記第２の対物レンズとが一体成形により、一体的に形成されていることを特徴とする。
本発明の作用効果は、請求の範囲第７項に記載の発明と同様である。【００４８】
請求の範囲第１９項に記載の光ピックアップ装置は、請求の範囲第１３項乃至第１７項のいずれかに記載の発明において、前記光学素子は、前記第１の対物レンズ部と前記第２の対物レンズとを係合して、一体的に形成されていることを特徴とする。
本発明の作用効果は、請求の範囲第８項に記載の発明と同様である。【００４９】
請求の範囲第２０項に記載の光ピックアップ装置は、請求の範囲第１３項乃至第１９項のいずれかに記載の発明において、前記第１の対物レンズ部の３次コマ収差の方向と前記第２の対物レンズ部の３次コマ収差の方向とがなす角度が３０°以内であることを特徴とする。
本発明の作用効果は、請求の範囲第９項に記載の発明と同様である。【００５０】
請求の範囲第２１項に記載の光ピックアップ装置は、請求の範囲第１３項乃至第２０項のいずれかに記載の発明において、前記光ピックアップ装置は、保護基板の厚さがｔ３（ｔ２≦ｔ３）である第３光情報記録媒体の情報記録面に光束を集光させることにより、その情報記録面に対して情報の記録及び／又は再生を行い、
前記光源は、波長がλ１の第一光束を出射する第一光源と、波長がλ２（λ２＞λ１）の第２光束を出射する第二光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光されることを特徴とする。
本発明の作用効果は、請求の範囲第１０項に記載の発明と同様である。【００５１】
請求の範囲第２２項に記載の光ピックアップ装置は、請求の範囲第２１項に記載の発明において、前記光ピックアップ装置は、保護基板の厚さがｔ４（ｔ４＞ｔ３）である第４光情報記録媒体の情報記録面に光束を集光させることにより、その情報記録面に対して情報の記録及び／又は再生を行い、
前記光源は、波長がλ１の第一光束を出射する第一光源と、波長がλ２（λ２＞λ１）の第２光束を出射する第二光源と、波長がλ３（λ３＞λ２）の第三光束を出射する第三光源とを有し、
前記第一光束が、前記第１の対物レンズ部を介して前記第１光情報記録媒体の情報記録面に集光され、
前記第一光束が、前記第２の対物レンズ部を介して前記第２光情報記録媒体の情報記録面に集光され、
前記第二光束が、前記第２の対物レンズ部を介して前記第３光情報記録媒体の情報記録面に集光され、
前記第三光束が、前記第２の対物レンズ部を介して前記第４光情報記録媒体の情報記録面に集光されることを特徴とする。
本発明の作用効果は、請求の範囲第１１項に記載の発明と同様である。【００５２】
請求の範囲第２３項に記載の光ピックアップ装置は、請求の範囲第１３項乃至第２２項のいずれかに記載の発明において、少なくとも前記第１の対物レンズ部及び前記第２の対物レンズ部の一方は、輪帯状の光路差付与構造を有することを特徴とする。
本発明の作用効果は、請求の範囲第１２項に記載の発明と同様である。【００５３】
請求の範囲第２４項に記載の光ピックアップ装置の組立方法は、単一又は複数の光源と、第１の対物レンズ部と第２の対物レンズ部とを一体的に形成した光学素子を有し、
前記光源からの光束を、前記第１の対物レンズ部を介して保護基板の厚さがｔ１である第１光情報記録媒体の情報記録面に集光させることにより、その情報記録面に対して情報の記録及び／又は再生が可能となっており、また前記光源からの光束を、前記第２の対物レンズ部を介して保護基板の厚さがｔ２（ｔ２≧ｔ１）である第２光情報記録媒体の情報記録面に集光させることにより、その情報記録面に対して情報の記録及び／又は再生が可能となっている光ピックアップ装置の組立方法であって、
前記第１の対物レンズ部又は前記第２の対物レンズ部の一方は、以下の条件式（１）を満たし、他方は、以下の条件式（２）を満たしており、
前記第１の対物レンズ部と前記第２の対物レンズ部のうち、前記条件式（１）を満たしている前記対物レンズ部を介して前記光源からの光束を第１光情報記録媒体の情報記録面に集光させるようにした時、集光スポットのコマ収差が軽減するよう、前記光学素子の傾きを調整するステップと、
前記第１の対物レンズ部と前記第２の対物レンズ部のうち、前記条件式（２）を満たしている前記対物レンズ部を介して前記光源からの光束を、前記第２光情報記録媒体の情報記録面に集光させるようにした時、集光スポットのコマ収差が軽減するよう、前記光源に関してシフト調整処理を行なうステップとを有することを特徴とする。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。【００５４】
尚、上記の組み立て方法で述べているのは、光ピックアップ装置の組み立て時の調整であって、組み立て後、光情報記録媒体を実際に記録又は再生する際の実使用時の制御のことではない事を付言しておく。【００５５】
本明細書中において、対物レンズ部とは、狭義には光ピックアップ装置に光情報記録媒体を装填した状態において、最も光情報記録媒体側の位置で、これと対向すべく配置される集光作用を有するレンズ部を指し、広義には光学素子と共に、アクチュエータによって少なくともその光軸方向に作動可能なレンズ部を指すものとする。
【発明の効果】
【００５６】
本発明によれば、異なる光ディスクに対して互換可能に情報の記録及び／又は再生を行うために、２つの対物レンズ部を一体的に形成してなる光ピックアップ装置用の光学素子と、それを用いた光ピックアップ装置を提供することができる。
【図面の簡単な説明】
【００５７】
【図１】従来技術の問題を説明するための図である。
【図２】光源ＬＤと、対物レンズ部ＯＢＪと、光ディスクＯＤからなる系を示す概略図図である。
【図３】第３の実施形態にかかる光ピックアップ装置の概略断面図である。
【図４】２つの対物レンズ部を保持するレンズホルダの断面図である。
【図５】光ピックアップ装置ごと対物レンズの傾きを調整する傾き変更機構１０の斜視図である。
【図６】レンズホルダごと対物レンズの傾きを調整する傾き変更機構２０の斜視図である。
【図７】光ピックアップ装置ごと対物レンズの傾きを調整する傾き変更機構３０の斜視図である。
【図８】第４の実施形態にかかる光ピックアップ装置の概略断面図である。
【図９】第５の実施形態にかかる光ピックアップ装置の概略断面図である。
【図１０】第６の実施形態にかかる光ピックアップ装置の概略断面図である。
【図１１】第７の実施形態にかかる光ピックアップ装置の概略断面図である。
【図１２】２レーザ１パッケージの光源と回折素子とを保持する２つの例を示す断面図である。
【図１３】レンズホルダの変形例を示す図３と同様な断面図である。
【図１４】光ピックアップ装置の一例を上面から見た図である。
【図１５】第１の実施形態にかかる光ピックアップ装置の概略断面図である。
【図１６】図１６（ａ）は、第１対物レンズ部ＯＢＪ１と第２対物レンズ部ＯＢＪ２とを有する対物レンズユニットＯＬＵを集光スポット側から見た図であり、図１６（ｂ）、（ｃ）は、図１６（ａ）に示す第１対物レンズ部ＯＢＪ１と第２対物レンズ部ＯＢＪ２により集光されたスポット像を示す図である。
【図１７】第２の実施形態にかかる光ピックアップ装置の概略断面図である。
【図１８】図１５の変形例を示す図である。
【図１９】対物レンズ部を支持するレンズホルダＨＤの角度差を示す図である。
【符号の説明】
【００５８】
ＬＤ１  第１半導体レーザ
ＬＤ２  第２半導体レーザ
ＬＤ３  第３半導体レーザ
ＨＤ  レンズホルダ
ＯＢＪ１  第１の対物レンズ部
ＯＢＪ２  第２の対物レンズ部
ＯＥ  光学素子
ＡＣＴ  アクチュエータ
ＡＣＴＢ  アクチュエータベース
１０，２０，３０  傾き変更機構
【発明を実施するための最良の形態】
【００５９】
以下、図面を参照して、本発明をさらに詳細に説明する。図１５は、ＢＤ（第１光情報記録媒体又は第１の光ディスクともいう）、ＨＤ（第２光情報記録媒体又は第２の光ディスクともいう）、ＤＶＤ（第３光情報記録媒体又は第３の光ディスクともいう）及びＣＤ（第４光情報記録媒体又は第４の光ディスクともいう）の全てに対して情報の記録及び／又は再生を行える、第１の形態にかかる光ピックアップ装置の概略断面図である。図４は、２つの対物レンズ部を融合させて一体成形された光学素子ＯＥと、それを保持するレンズホルダＨＤの断面図である。尚、第１の対物レンズ部ＯＢＪ１は屈折面のみを有し、第２の対物レンズ部ＯＢＪ２には互換のための光路差付与構造として回折構造が設けられている。なお、第１の対物レンズ部及び／又は第２の対物レンズ部に、温度が変化した際や波長が僅かに変化した際の球面収差の変化を補償するような光路差付与構造として回折構造を設けることで光学特性を向上するようにしてもよい。【００６０】
図４において、光学素子ＯＥは、光軸が平行な第１の対物レンズ部ＯＢＪ１と第２の対物レンズ部ＯＢＪ２とを、板状のフランジＦＬで連結するようにして一体成形されている。レンズホルダＨＤは、軸線を略平行とする２つの開口ＨＤａ、ＨＤｂを形成している。開口ＨＤａ、ＨＤｂに共通する図で上面の座繰り部ＨＤｃに当接するようにして、光学素子ＯＥのフランジＦＬが取り付けられている。かかる状態で、開口ＨＤａは第１の対物レンズ部ＯＢＪ１に対向し、開口ＨＤｂは第２の対物レンズ部ＯＢＪ２に対向している。尚、開口開口ＨＤａ、ＨＤｂ内に、それぞれ絞りＡＰ１，ＡＰ２が形成されている。【００６１】
図１５に示す本実施の形態においては、第１半導体レーザＬＤ１、第２半導体レーザＬＤ２、第３半導体レーザＬＤ３のいずれも、別々に配置されている。【００６２】
図１５に示すように、レンズホルダＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。【００６３】
第１の光ディスクであるＢＤ（ＯＤ１）に対して情報の記録及び／又は再生を行う場合、図１５において、第１の光源としての第１半導体レーザＬＤ１（波長λ１＝３５０ｎｍ〜４４０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である第１回折格子Ｇ１を通過し、更に第１偏光ビームスプリッタＰＢＳ１及びエキスパンダーレンズＥＸＰを通過する。【００６４】
エキスパンダーレンズＥＸＰを通過した光束は、第１のλ／４波長板ＱＷＰ１を通過し、プリズムＢＳＰによって、所定の光量が反射され、残りの光量が透過する。プリズムＢＳＰを透過した光束が、第１の対物レンズ部ＯＢＪ１により集光されて、ＢＤ（ＯＤ１）の保護層（厚さｔ１＝０．０３〜０．１４ｍｍ）を介してその情報記録面に集光されここに集光スポットを形成する。尚、エキスパンダーレンズＥＸＰは、少なくとも一つの光学素子が光軸方向に可動となっていて、その光学素子を光軸方向に移動させて、エキスパンダーレンズＥＸＰの出射光束の発散度を変更することにより、光ディスクの保護層厚の誤差や、情報記録面層を複数有している光ディスク（いわゆる２層ディスク、多層ディスク）の各記録面に対する保護層厚の違いによって生じる、集光スポットの球面収差を補正することができる。【００６５】
そして情報記録面で情報ピットにより変調されて反射した光束は、再び第１の対物レンズ部ＯＢＪ１、プリズムＢＳＰ、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、ＢＤ（ＯＤ１）に対して情報の記録及び／又は再生を行う。【００６６】
また、第１光検出器ＰＤ１上でのスポットの形状変化、位置変化による光量変化を検出して、合焦検出やトラック検出を行う。この検出に基づいて、第１半導体レーザＬＤ１からの光束をＢＤ（ＯＤ１）の情報記録面上に結像するように、第１の対物レンズ部ＯＢＪ１をレンズホルダＨＤごと移動させるように、アクチュエータＡＣＴを駆動する。【００６７】
第２の光ディスクであるＨＤ（ＯＤ２）に対して情報の記録及び／又は再生を行う場合、図１５において、第１の光源としての第１半導体レーザＬＤ１（波長λ１＝３５０ｎｍ〜４４０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である第１回折格子Ｇ１を通過し、更に第１偏光ビームスプリッタＰＢＳ１及びエキスパンダーレンズＥＸＰを通過する。【００６８】
エキスパンダーレンズＥＸＰを通過した光束は、第１のλ／４波長板ＱＷＰ１を通過し、プリズムＢＳＰによって、所定の光量が反射され、残りの光量が透過する。プリズムＢＳＰで反射した光束は、第１半導体レーザＬＤ１からの光束は反射し第２半導体レーザＬＤ２及び第３半導体レーザＬＤ３からの光束は透過するダイクロイックプリズムＤＰ３で更に反射され、回折構造を有する第２の対物レンズ部ＯＢＪ２により集光されて、ＨＤ（ＯＤ２）の保護層（厚さｔ１＝０．５〜０．８ｍｍ）を介してその情報記録面に集光されここに集光スポットを形成する。【００６９】
そして情報記録面で情報ピットにより変調されて反射した光束は、再び第２の対物レンズ部ＯＢＪ２を通過し、ダイクロイックプリズムＤＰ３で反射され、プリズムＢＳＰで反射され、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、ＨＤ（ＯＤ２）に対して情報の記録及び／又は再生を行う。【００７０】
また、第１光検出器ＰＤ１上でのスポットの形状変化、位置変化による光量変化を検出して、合焦検出やトラック検出を行う。この検出に基づいて、第１半導体レーザＬＤ１からの光束をＨＤ（ＯＤ２）の情報記録面上に結像するように、第２の対物レンズ部ＯＢＪ２をレンズホルダＨＤごと移動させるように、アクチュエータＡＣＴを駆動する。【００７１】
第３の光ディスクであるＤＶＤ（ＯＤ３）に対して情報の記録及び／又は再生を行う場合、第２半導体レーザＬＤ２（波長λ２＝６００ｎｍ〜７００ｎｍ）から出射された光束は、第１ダイクロイックプリズムＤＰ１を通過し、第２コリメートレンズＣＬ２に入射し、更に第２回折格子Ｇ２、第２偏光ビームスプリッタＰＢＳ２、第２のλ／４波長板ＱＷＰ２、ダイクロイックプリズムＤＰ３を通過して、回折構造を有する第２の対物レンズ部ＯＢＪ２により集光されて、ＤＶＤ（ＯＤ３）の保護層（厚さｔ２＝０．５〜０．８ｍｍ）を介してその情報記録面に集光されここに集光スポットを形成する。【００７２】
そして情報記録面で情報ピットにより変調されて反射した光束は、再び第２の対物レンズ部ＯＢＪ２、ダイクロイックプリズムＤＰ３、第２のλ／４波長板ＱＷＰ２を通過し、第２偏光ビームスプリッタＰＢＳ２で反射され、更に第２センサレンズＳＬ２と第２ダイクロイックプリズムＤＰ２を透過して第２光検出器ＰＤ２の受光面に入射するので、その出力信号を用いて、ＤＶＤ（ＯＤ３）に対して情報の記録及び／又は再生を行う。【００７３】
また、第２光検出器ＰＤ２上でのスポットの形状変化、位置変化による光量変化を検出して、合焦検出やトラック検出を行う。この検出に基づいて、第２半導体レーザＬＤ２からの光束をＤＶＤ（ＯＤ３）の情報記録面上に結像するように、第２の対物レンズ部ＯＢＪ２をレンズホルダＨＤごと移動させるように、アクチュエータＡＣＴを駆動する。【００７４】
第４の光ディスクであるＣＤ（ＯＤ４）に対して情報の記録及び／又は再生を行う場合、第３半導体レーザＬＤ３（波長λ３＝７００ｎｍ〜８００ｎｍ）から出射された光束は、第１ダイクロイックプリズムＤＰ１で反射され、第２コリメートレンズＣＬ２に入射し、更に第２回折格子Ｇ２、第２偏光ビームスプリッタＰＢＳ２、第２のλ／４波長板ＱＷＰ２、ダイクロイックプリズムＤＰ３を通過して、回折構造を有する第２の対物レンズ部ＯＢＪ２により集光されて、ＣＤ（ＯＤ４）の保護層（厚さｔ３＝１．０〜１．３ｍｍ）を介してその情報記録面に集光されここに集光スポットを形成する。【００７５】
そして情報記録面で情報ピットにより変調されて反射した光束は、再び第２の対物レンズ部ＯＢＪ２、ダイクロイックプリズムＤＰ３、第２のλ／４波長板ＱＷＰ２を通過し、第２偏光ビームスプリッタＰＢＳ２で反射され、更に第２センサレンズＳＬ２を透過し、第２ダイクロイックプリズムＤＰ２で反射されて第３光検出器ＰＤ３の受光面に入射するので、その出力信号を用いて、ＣＤ（ＯＤ４）に対して情報の記録及び／又は再生を行う。【００７６】
また、第３光検出器ＰＤ３上でのスポットの形状変化、位置変化による光量変化を検出して、合焦検出やトラック検出を行う。この検出に基づいて、第３半導体レーザＬＤ３からの光束をＣＤ（ＯＤ４）の情報記録面上に結像するように、第２の対物レンズ部ＯＢＪ２をレンズホルダＨＤごと移動させるように、アクチュエータＡＣＴを駆動する。【００７７】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【００７８】
本実施の形態の光学素子の組付方法について説明する。本実施の形態の光学素子は、第１の対物レンズ部ＯＢＪ１が、第１半導体レーザＬＤ１からの光束を用いて第１の光ディスク（ＢＤ）の記録及び／又は再生を行うに際して条件式（２）を満たす設計がなされており、第２の対物レンズ部ＯＢＪ２が、第１半導体レーザＬＤ１からの光束を用いて第２の光ディスク（ＨＤ）の記録及び／又は再生を行うに際して条件式（１）を満たす設計がなされている。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。【００７９】
また、第２の対物レンズ部ＯＢＪ２は、第２半導体レーザＬＤ２からの光束を用いて第３の光ディスク（ＤＶＤ）の記録及び／又は再生を行うに際して条件式（２）を満たす設計がなされている。さらに、第２の対物レンズ部ＯＢＪ２は、第３半導体レーザＬＤ３からの光束を用いて第４の光ディスク（ＣＤ）の記録及び／又は再生を行うに際して条件式（２）を満たす設計がなされている。【００８０】
まず、第１の半導体レーザＬＤ１、第２の半導体レーザＬＤ２、第３の半導体レーザＬＤ３の光束の軸線、第１の対物レンズ部ＯＢＪ１、及び第２の対物レンズ部ＯＢＪ２の光軸を、光ピックアップ装置の基準光軸に対して、それぞれ１度以内の傾きに収まるように調整して取り付ける。【００８１】
ここで、第２の対物レンズ部ＯＢＪ２が、第１半導体レーザＬＤ１からの光束を第２光ディスクであるＨＤ（ＯＤ２）の情報記録面に集光するようにした時、その集光スポットのコマ収差が所定値以下に小さくなるように、アクチュエータベースＡＣＴＢ（即ち第２の対物レンズ部ＯＢＪ２）の傾きを調整する。尚、アクチュエータベースＡＣＴＢでなく、レンズホルダＨＤに対して光学素子ＯＥの傾きを調整しても良い。この場合、調整前にレンズホルダＨＤに対して光学素子ＯＥを接着固定しなくてもよい。【００８２】
続いて、第１の対物レンズ部ＯＢＪ１が、第１半導体レーザＬＤ１からの光束を第１光ディスクであるＢＤ（ＯＤ１）の情報記録面に集光するようにした時、その集光スポットのコマ収差が所定値以下に小さくなるように、第１半導体レーザＬＤ１を光軸直交方向に位置調整する。このとき、光軸直交方向に動かされた第１半導体レーザＬＤ１は、第２の対物レンズ部ＯＢＪ２にも用いられるが、第２の対物レンズ部は第１半導体レーザＬＤ１からの光束に対して条件式（１）を満たしているので、コマ収差の変化は僅かである。必要があれば、これらの調整を繰り返し行なえば、より調整精度を高められる。【００８３】
さらに、第２の対物レンズ部ＯＢＪ２が、第２半導体レーザＬＤ２からの光束を第３光ディスクであるＤＶＤ（ＯＤ３）の情報記録面に集光するようにした時、その集光スポットのコマ収差が所定値以下に小さくなるように、第２半導体レーザＬＤ２を光軸直交方向に位置調整する。さらに、第２の対物レンズ部ＯＢＪ２が、第３半導体レーザＬＤ３からの光束を第４光ディスクであるＣＤ（ＯＤ４）の情報記録面に集光するようにした時、その集光スポットのコマ収差が所定値以下に小さくなるように、第３半導体レーザＬＤ３を光軸直交方向に位置調整する。【００８４】
尚、第１の対物レンズ部ＯＢＪ１が、第１半導体レーザＬＤ１からの光束に対して条件式（１）を満たす設計がなされており、第２の対物レンズ部ＯＢＪ２が、第１半導体レーザＬＤ１からの光束に対して条件式（２）を満たす設計がなされている場合には、上述した組み立て方法において、「第１の対物レンズ部ＯＢＪ１」と「第２の対物レンズＯＢＪ２」とを相互に置き換えればよい。【００８５】
以上の調整により、各半導体レーザから照射された光束を集光させたときにスポット光のコマ収差を極力抑えることができる。さらに、実際の情報記録又は再生時（即ち実動作時）に、光検出器からの信号に応じて相対傾き変更手段を駆動することで、光ディスクの反りに起因したコマ収差や、残存する誤差に起因したコマ収差を補正するようにしてもよい。勿論、組立時にコマ収差を調整することによって、実動作時における相対傾き変更手段の負担を軽減させることができ、実動作時に用いる傾き変更機構の小型化、省エネ、低コスト化を達成できる。また、光学素子を傾けるかわりに、液晶などのコマ収差補正手段によってコマ収差を補正するようにしても良い。また、光学素子を傾けることと液晶などのコマ収差補正手段とを組み合わせて使用しても良い。【００８６】
ここで、相対傾き変更手段としての傾き変更機構１０について説明する。図５は、光ピックアップ装置ごと光学素子ＯＥ（対物レンズ部ＯＢＪ１、ＯＢＪ２）の傾きを調整する傾き変更機構１０の側面図である。図５において、光ディスクは図示しないマグネットクランプによりターンテーブルＴＴに装着され、固定べースＦＢに取り付けられた不図示のスピンドルモータにより回転駆動される。固定べースＦＢにはカムＣＭが取り付けられた傾き変更モータＴＶＭが固定されており、図示しない駆動電源により回転駆動される。【００８７】
光ピックアップＰＵは、チルトべースＴＢに固定されたガイドシャフトＧＳに保持され、図示しない移動機構によって光ディスク半径方向に移動可能となっている。チルトべースＴＢは回転軸ＲＳを介して固定べースＦＢに回転可能に保持され、バネＳＰによりカムＣＭに対して押し付けられている。記録及び／または再生時に、チルトセンサＴＳにより光ディスクの傾きを検出し、その結果に応じて傾き変更モータＴＶＭによりカムＣＭを回転させてチルトべースＴＢを傾けることにより、光ディスクと光ピックアップ装置ＰＵ（即ち対物レンズ）との相対的な傾きを変更する。これにより、光ディスクの情報記録面に集光された光束のコマ収差を制御できる。【００８８】
この方式は、光ディスクと光ピックアップ装置全体の相対的な傾きを変更するので、本発明のいずれの対物レンズ部が条件式（１）を満たすか、（２）を満たすかに関わらず有効である。このような光ピックアップ装置を傾ける傾き変更機構は本方式に限定するものではなく、他にも様々な方式が提案されており、例えば特開平９−９１７３１号公報に詳細な開示がある。【００８９】
次に、相対傾き変更手段の別な例として傾き変更機構２０について説明する。図６は、レンズホルダごと光学素子ＯＥを傾ける傾き変更機構２０の斜視図である。図６において、対物レンズ部ＯＢＪ１，ＯＢＪ２を有する光学素子ＯＥは、レンズホルダＨＤに接着固定されている。レンズホルダＨＤは、サスペンションワイヤＳＷにより、ダンピング材を保持するワイヤホルダＷＨ及びワイヤ固定基板ＷＦを介してアクチュエータべースＡＣＴＢに保持されている。レンズホルダＨＤには、フォーカシング用コイルＦＣとトラッキング用コイルＴＣが固定されており、ヨークを兼ねるアクチュエータべースＡＣＴＢと、アクチュエータべースＡＣＴＢに固定されたマグネットＭＧと共に磁気回路を構成している。フォーカシングコイルＦＣ、トラッキングコイルＴＣに図示しない駆動電源より駆動電流を流すことにより、レンズホルダＨＤをフォーカシング方向、トラッキング方向に並進移動させることができる。【００９０】
また、レンズホルダＨＤには２つの傾き変更用マグネットＴＭＧが固定されており、それに対向するように２つの傾き変更用コイルＴＶＣが磁性体ＭＢに巻装されてアクチュエータべースＡＣＴＢに固定され、磁気回路を構成している。２つの磁気回路で上下反対方向の駆動力が発生するように、それぞれの傾き変更用コイルＴＶＣに流れる電流の向きを制御することにより、レンズホルダＨＤを傾けることができる。これにより、光ディスクの情報記録面に集光された光束の３次コマ収差を制御できる。【００９１】
本方式は、光ディスクと対物レンズ部の相対的な傾きを変更するので、前述したように、ＢＤに対応する対物レンズ部が条件式（２）を満たし、ＨＤに対応する対物レンズ部が条件式（１）を満たす設計である場合において、特に効果が高い。このような、アクチュエータのレンズホルダを傾ける傾き変更機構は本方式に限定するものではなく、他にも様々な方式が提案されており、例えば特開平１０−２７５３５４号公報に詳細な開示がある。【００９２】
更に、相対傾き変更手段の別な例として傾き変更機構３０について説明する。図７は、光ピックアップ装置ごと光学素子ＯＥを傾ける傾き変更機構３０の斜視図である。図７において、光ディスクは図示しないマグネットクランプによりターンテーブルＴＴに装着され、スピンドルモータホルダＳＭＨに固定されたスピンドルモータＳＭにより回転駆動される。光ピックアップ装置ＰＵは固定ベースＦＢに固定されたガイドシャフトＧＳに保持され、図示しない移動機構によって光ディスク半径方向に移動可能となっている。固定べースＦＢにはカムＣＭが取り付けられた傾き変更モータＴＶＭが固定されており、図示しない駆動電源により回転駆動される。スピンドルモータホルダＳＭＨは回転軸ＲＳを介して固定ベースＦＢに回転可能に保持されており、バネＳＰによりカムＣＭに押し付けられている。記録及び／または再生時に、チルトセンサＴＳにより光ディスクの傾きを検出し、その結果に応じて傾き変更モータＴＶＭによりカムＣＭを回転させてスピンドルモータホルダＳＭＨを傾けることにより、光ディスクを傾けて、光ディスクと光ピックアップ装置ＰＵ（即ち対物レンズ）との相対的な傾きを変更する。これにより光ディスクの情報紀録面に集光された光束の３次コマ収差を制御できる。【００９３】
この方式は、光ディスクと光ピックアップ装置全体の相対的な傾きを変更するので、本発明の対物レンズ部が条件式（１）を満たすか条件式（２）を満たすかに関わらず有効である。このようなスピンドルモータを傾ける傾き変更機構は本方式に限定するものではなく、他の例としては、例えば特開平９−２８２６９２号公報に詳細な開示がある。【００９４】
更に、本実施の形態によれば、対物レンズ部を第１半導体レーザ専用と、第１半導体レーザ、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ部固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【００９５】
図１８は図１５の変形例を示す図である。図１８の構成は、図１５に記載のプリズムＢＳＰ、ダイクロイックプリズムＤＰ３を、２つの反射面ＭＲ１、ＭＲ２を有する反射ミラーＭＲに置き換えた他はすべて同じであるので、詳細な説明は省略する。第１の光ディスクであるＢＤ（ＯＤ１）に対して情報の記録及び／又は再生を行う場合、反射ミラーＭＲは図示しない駆動機構により、矢印方向（破線の位置）に退避させる。エキスパンダーレンズＥＸＰを通過した波長λ１の光束は、第１のλ／４波長板ＱＷＰ１を通過し、反射ミラーＭＲを介さずに、第１の対物レンズ部ＯＢＪ１により集光されて、ＢＤ（ＯＤ１）の保護層（厚さｔ１＝０．０３〜０．１４ｍｍ）を介してその情報記録面に集光されここに集光スポットを形成する。【００９６】
そして情報記録面で情報ピットにより変調されて反射した光束は、再び第１の対物レンズ部ＯＢＪ１、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、ＢＤ（ＯＤ１）に対して情報の記録及び／又は再生を行う。【００９７】
一方、第２の光ディスクであるＨＤ（ＯＤ２）に対して情報の記録及び／又は再生を行う場合、図１８において、反射ミラーＭＲは図示しない駆動機構により、実線の位置に移動させる。エキスパンダーレンズＥＸＰを通過した波長λ１の光束は、第１のλ／４波長板ＱＷＰ１を通過し、反射面ＭＲ１、さらに反射面ＭＲ２で反射されて、回折構造を有する第２の対物レンズ部ＯＢＪ２により集光されて、ＨＤ（ＯＤ２）の保護層（厚さｔ１＝０．５〜０．８ｍｍ）を介してその情報記録面に集光されここに集光スポットを形成する。【００９８】
そして情報記録面で情報ピットにより変調されて反射した光束は、再び第２の対物レンズ部ＯＢＪ２を通過し、反射面ＭＲ２、さらに反射面ＭＲ１で反射されて、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、ＨＤ（ＯＤ２）に対して情報の記録及び／又は再生を行う。【００９９】
第３の光ディスクであるＤＶＤ（ＯＤ３）に対して情報の記録及び／又は再生を行う場合、また、第４の光ディスクであるＣＤ（ＯＤ４）に対して情報の記録及び／又は再生を行う場合は、図１８において、反射ミラーＭＲを破線の位置に移動する。偏光ビームスプリッタＰＢＳ２、第２のλ／４波長板ＱＷＰ２を通過した波長λ２または波長λ３の光束は、反射面ＭＲ１、ＭＲ２に入射せずに、反射ミラーＭＲの中央部（平行平板の部分）を通過するようになっている。反射ミラーＭＲを通過した波長λ２または波長λ３の光束は、回折構造を有する第２の対物レンズ部ＯＢＪ２により集光されて、それぞれＤＶＤ（ＯＤ３）の保護層（厚さｔ２＝０．５〜０．８ｍｍ）、またはＣＤ（ＯＤ４）の保護層（厚さｔ３＝１．０〜１．３ｍｍ）を介してその情報記録面に集光されここに集光スポットを形成する。尚、反射ミラーＭＲは、図１８における破線の位置ではなく、図中の矢印と反対方向に退避するようにしてもよい。【０１００】
このように、反射ミラーＭＲを用いると、第１の光ディスク及び第２の光ディスク双方に対して、光量をほとんど損失することなく集光できるので、第１半導体レーザＬＤ１の負担を軽減することができ、特に半導体レーザＬＤ１による光束を用いて、第１の光ディスク、第２の光ディスクの少なくとも一方に対して記録を行う場合に好ましい。【０１０１】
次に図１７を参照して、第２の実施形態について説明する。図１７は、ＢＤ（第１の光ディスク）、ＨＤ（第２の光ディスク）、ＤＶＤ（第３の光ディスク）及びＣＤ（第４の光ディスク）の全てに対して情報の記録／再生を行える、光ピックアップ装置の概略断面図である。尚、第１の対物レンズ部ＯＢＪ１は屈折面のみを有し、第２の対物レンズ部ＯＢＪ２には互換のための光路差付与構造として回折構造が設けられている。なお、第１の対物レンズ部及び／又は第２の対物レンズ部に、温度が変化した際や波長が僅かに変化した際の球面収差の変化を補償するような光路差付与構造として回折構造を設けることで光学特性を向上するようにしてもよい。【０１０２】
本実施の形態においても、第１半導体レーザＬＤ１、第２半導体レーザＬＤ２、第３半導体レーザＬＤ３のいずれも、別々に配置され、同一の筐体内に収納されていない例になっている。【０１０３】
光学素子ＯＥは、上述した実施の形態と同様である（図４参照）。図１７に示すように、レンズホルダＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。図１９に示すように、対物レンズ部を支持するレンズホルダＨＤは、支持する２つの対物レンズの両光軸と略平行に延在する軸ＳＦＴ回りに回転可能となっており、第１の光ディスクＯＤ１に対して情報の記録及び／又は再生を行う場合、図１７に示すように、第１の対物レンズ部ＯＢＪ１にλ／４波長板ＱＷＰを通過した光束が入射する位置へと回転し、第２の光ディスクＯＤ２、第３の光ディスクＯＤ３又は第４の光ディスクＯＤ４に対して情報の記録及び／又は再生を行う場合、第２の対物レンズ部ＯＢＪ２にλ／４波長板ＱＷＰを通過した光束が入射する位置へと回転するようになっている。【０１０４】
第１の光ディスクＯＤ１に対して情報の記録及び／又は再生を行う場合、レンズホルダＨＤを図１７に示す位置へと回転移動させる。図１７において、第１の光源としての第１半導体レーザＬＤ１（波長λ１＝３５０ｎｍ〜４４０ｎｍ）から出射された光束は、ダイクロイックプリズムＤＰ１を通過し、更に、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１０５】
エキスパンダーレンズＥＸＰを通過した光束は、ダイクロイックプリズムＤＰ２を通過し、更にλ／４波長板ＱＷＰを通過して、第１の対物レンズ部ＯＢＪ１により集光されて、第１の光ディスクであるＢＤ（ＯＤ１）の保護層（厚さｔ１＝０．０３〜０．１４ｍｍ）を介してその情報記録面に集光されここに集光スポットを形成する。【０１０６】
そして情報記録面で情報ピットにより変調されて反射した光束は、再び第１の対物レンズ部ＯＢＪ１、λ／４波長板ＱＷＰ、ダイクロイックプリズムＤＰ２、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＢＤ（ＯＤ１）に対して情報の記録及び／又は再生を行う。【０１０７】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズ部ＯＢＪ１をレンズホルダＨＤごと移動させるように、アクチュエータＡＣＴを駆動する。【０１０８】
第２の光ディスクであるＨＤ（ＯＤ２）に対して情報の記録及び／又は再生を行う場合、レンズホルダＨＤを図１７に示す位置から回転移動させる。光源としては、ＢＤと同様に第１半導体レーザＬＤ１（波長λ１＝３５０ｎｍ〜４４０ｎｍ）を用い、第１半導体レーザＬＤ１から出射された光束は、ダイクロイックプリズムＤＰ１を通過し、更に、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１０９】
エキスパンダーレンズＥＸＰを通過した光束は、ダイクロイックプリズムＤＰ２を通過し、更にλ／４波長板ＱＷＰを通過して、互換のための回折構造を有する第２の対物レンズ部ＯＢＪ２により集光されて、ＨＤ（ＯＤ２）の保護層（厚さｔ２＝０．５〜０．８ｍｍ）を介してその情報記録面に集光されここに集光スポットを形成する。【０１１０】
そして情報記録面で情報ピットにより変調されて反射した光束は、再び第２の対物レンズ部ＯＢＪ２、λ／４波長板ＱＷＰ、ダイクロイックプリズムＤＰ２、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＨＤ（ＯＤ２）に対して情報の記録及び／又は再生を行う。【０１１１】
また、光検出器ＰＤ上でのスポットの形状変化、位置変化による光量変化を検出して、合焦検出やトラック検出を行う。この検出に基づいて、第１半導体レーザＬＤ１からの光束をＨＤ（ＯＤ２）の情報記録面上に結像するように、第２の対物レンズ部ＯＢＪ２をレンズホルダＨＤごと移動させるように、アクチュエータＡＣＴを駆動する。【０１１２】
第３の光ディスクであるＤＶＤ（ＯＤ３）に対して情報の記録及び／又は再生を行う場合も、ＨＤ（ＯＤ２）の時と同様に、レンズホルダＨＤを図１７に示す位置から回転移動させる。第２半導体レーザＬＤ２（波長λ２＝６００ｎｍ〜７００ｎｍ）から出射された光束は、ダイクロイックプリズムＤＰ１で反射され、ビームシェイパＢＳを通過することで光束の形状を補正された上で、第１コリメートレンズＣＬ１に入射する。第１コリメートレンズＣＬ１から出射した光束は、光源から出射した光束を記録再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１１３】
エキスパンダーレンズＥＸＰを通過した光束は、ダイクロイックプリズムＤＰ２を通過し、更にλ／４波長板ＱＷＰを通過して、回折構造を有する第２の対物レンズ部ＯＢＪ２により集光されて、ＤＶＤ（ＯＤ３）の保護層（厚さｔ３＝０．５〜０．８ｍｍ）を介してその情報記録面に集光されここに集光スポットを形成する。【０１１４】
そして情報記録面で情報ピットにより変調されて反射した光束は、再び第２の対物レンズ部ＯＢＪ２、λ／４波長板ＱＷＰ、ダイクロイックプリズムＤＰ２、エキスパンダーレンズＥＸＰを通過して、偏光ビームスプリッタＰＢＳで反射され、更にセンサレンズＳＬを介して光検出器ＰＤの受光面に入射するので、その出力信号を用いて、ＤＶＤ（ＯＤ３）に対して情報の記録及び／又は再生を行う。【０１１５】
また、光検出器ＰＤ上でのスポットの形状変化、位置変化による光量変化を検出して、合焦検出やトラック検出を行う。この検出に基づいて、第２半導体レーザＬＤ２からの光束をＤＶＤ（ＯＤ３）の情報記録面上に結像するように、第２の対物レンズ部ＯＢＪ２をレンズホルダＨＤごと移動させるように、アクチュエータＡＣＴを駆動する。【０１１６】
第３半導体レーザＬＤ３はホログラムレーザであり、光源であるレーザチップＬＣと光検出器ＰＤ３がパッケージ化されている。第４の光ディスクであるＣＤ（ＯＤ４）に対して情報の記録及び／又は再生を行う場合について説明する。第３半導体レーザＬＤ３（波長λ３＝７００ｎｍ〜８００ｎｍ）のレーザチップＬＣから出射された光束は、第２コリメートレンズＣＬ２に入射する。第２コリメートレンズから出射した光束は、ダイクロイックプリズムＤＰ２で反射された後、回折構造を有する第２の対物レンズ部ＯＢＪ２により集光されて、ＣＤ（ＯＤ４）の保護層（厚さｔ４＝１．０〜１．３ｍｍ）を介してその情報記録面に集光されここに集光スポットを形成する。【０１１７】
そして情報記録面で情報ピットにより変調されて反射した光束は、再び第２の対物レンズ部ＯＢＪ２、λ／４波長板ＱＷＰを通過し、ダイクロイックプリズムＤＰ２で反射され、更に第２コリメートレンズＣＬ２により集光されて第３半導体レーザＬＤ３内の光検出器ＰＤ３の受光面に入射するので、その出力信号を用いて、ＣＤ（ＯＤ４）に対して情報の記録及び／又は再生を行う。【０１１８】
また、光検出器ＰＤ３上でのスポットの形状変化、位置変化による光量変化を検出して、合焦検出やトラック検出を行う。この検出に基づいて、第３半導体レーザＬＤ３からの光束をＣＤ（ＯＤ４）の情報記録面上に結像するように、第２の対物レンズ部ＯＢＪ２をレンズホルダＨＤごと移動させるように、アクチュエータＡＣＴを駆動する。【０１１９】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【０１２０】
本実施の形態の光学素子は、第１の対物レンズ部ＯＢＪ１が、第１半導体レーザＬＤ１からの光束を用いて第１の光ディスク（ＢＤ）の記録及び／又は再生を行うに際して条件式（２）を満たす設計がなされており、第２の対物レンズ部ＯＢＪ２が、第１半導体レーザＬＤ１からの光束を用いて第２の光ディスク（ＨＤ）の記録及び／又は再生を行うに際して条件式（１）を満たす設計がなされている。
また、第２の対物レンズ部ＯＢＪ２は、第２半導体レーザＬＤ２からの光束を用いて第３の光ディスク（ＤＶＤ）の記録及び／又は再生を行うに際して条件式（２）を満たす設計がなされている。さらに、第２の対物レンズ部ＯＢＪ２は、第３半導体レーザＬＤ３からの光束を用いて第４の光ディスク（ＣＤ）の記録及び／又は再生を行うに際して条件式（２）を満たす設計がなされている。本実施の形態の光学素子の組付方法については、第１の実施の形態と同様であるので、説明は省略する。【０１２１】
図３は、ＢＤ（第１の光ディスクともいう）、従来のＤＶＤ（第２の光ディスクともいう）及びＣＤ（第３の光ディスクともいう）の全てに対して情報の記録及び／又は再生を行える、第３の実施の形態にかかる光ピックアップ装置の概略断面図である。図４は、２つの対物レンズ部を融合させて一体成形された光学素子ＯＥと、それを保持するレンズホルダＨＤの断面図である。尚、第１の対物レンズ部ＯＢＪ１と第２の対物レンズ部ＯＢＪ２の少なくとも一方に、光路差付与構造として回折構造を設けることで光学特性を向上できる。【０１２２】
図４に示すように、光学素子ＯＥは、光軸が平行な第１の対物レンズ部ＯＢＪ１と第２の対物レンズ部ＯＢＪ２とを、板状のフランジＦＬで連結するようにして一体成形されている。レンズホルダＨＤは、軸線を略平行とする２つの開口ＨＤａ、ＨＤｂを形成している。開口ＨＤａ、ＨＤｂに共通する図で上面の座繰り部ＨＤｃに当接するようにして、光学素子ＯＥのフランジＦＬが取り付けられている。かかる状態で、開口ＨＤａは第１の対物レンズ部ＯＢＪ１に対向し、開口ＨＤｂは第２の対物レンズ部ＯＢＪ２に対向している。【０１２３】
図３に示すように、レンズホルダＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。【０１２４】
第１の光ディスクであるＢＤ（ＯＤ１）に対して情報の記録及び／又は再生を行う場合、図３において、第１の光源としての第１半導体レーザＬＤ１（波長λ１＝３５０ｎｍ〜４４０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である第１回折格子Ｇ１を通過し、更に第１偏光ビームスプリッタＰＢＳ１及びエキスパンダーレンズＥＸＰを通過する。【０１２５】
エキスパンダーレンズＥＸＰを通過した光束は、第１のλ／４波長板ＱＷＰ１を通過して、第１の対物レンズ部ＯＢＪ１により集光されて、ＢＤ（ＯＤ１）の保護層（厚さｔ１＝０．０３〜０．１４ｍｍ）を介してその情報記録面に集光されここに集光スポットを形成する。【０１２６】
そして情報記録面で情報ピットにより変調されて反射した光束は、再び第１の対物レンズ部ＯＢＪ１、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、ＢＤ（ＯＤ１）に対して、情報の記録及び／又は再生を行う。【０１２７】
また、第１光検出器ＰＤ１上でのスポットの形状変化、位置変化による光量変化を検出して、合焦検出やトラック検出を行う。この検出に基づいて、第１半導体レーザＬＤ１からの光束をＢＤ（ＯＤ１）の情報記録面上に結像するように、第１の対物レンズ部ＯＢＪ１をレンズホルダＨＤごと移動させるように、アクチュエータＡＣＴを駆動する。【０１２８】
第２の光ディスクであるＤＶＤ（ＯＤ２）に対して情報の記録及び／又は再生を行う場合、第２半導体レーザＬＤ２（波長λ２＝６００ｎｍ〜７００ｎｍ）から出射された光束は、第１ダイクロイックプリズムＤＰ１を通過し、第２コリメートレンズＣＬ２に入射し、更に第２回折格子Ｇ２，第２偏光ビームスプリッタＰＢＳ２、第２のλ／４波長板ＱＷＰ２を通過して、回折構造を有する第２の対物レンズ部ＯＢＪ２により集光されて、ＤＶＤ（ＯＤ２）の保護層（厚さｔ２＝０．５〜０．８ｍｍ）を介してその情報記録面に集光されここに集光スポットを形成する。【０１２９】
そして情報記録面で情報ピットにより変調されて反射した光束は、再び第２の対物レンズ部ＯＢＪ２、第２のλ／４波長板ＱＷＰ２を通過し、第２偏光ビームスプリッタＰＢＳ２で反射され、更に第２センサレンズＳＬ２と第２ダイクロイックプリズムＤＰ２を透過して第２光検出器ＰＤ２の受光面に入射するので、その出力信号を用いて、ＤＶＤ（ＯＤ２）に対して、情報の記録及び／又は再生を行う。【０１３０】
また、第２光検出器ＰＤ２上でのスポットの形状変化、位置変化による光量変化を検出して、合焦検出やトラック検出を行う。この検出に基づいて、第２半導体レーザＬＤ２からの光束をＤＶＤ（ＯＤ２）の情報記録面上に結像するように、第２の対物レンズ部ＯＢＪ２をレンズホルダＨＤごと移動させるように、アクチュエータＡＣＴを駆動する。【０１３１】
第３の光ディスクであるＣＤ（ＯＤ３）に対して情報の記録及び／又は再生を行う場合、第３半導体レーザＬＤ３（波長λ３＝７００ｎｍ〜８００ｎｍ）から出射された光束は、第１ダイクロイックプリズムＤＰ１で反射され、第２コリメートレンズＣＬ２に入射し、更に第２回折格子Ｇ２、第２偏光ビームスプリッタＰＢＳ２、第２のλ／４波長板ＱＷＰ２を通過して、回折構造を有する第２の対物レンズ部ＯＢＪ２により集光されて、ＣＤ（ＯＤ３）の保護層（厚さｔ３＝１．０〜１．３ｍｍ）を介してその情報記録面に集光されここに集光スポットを形成する。【０１３２】
そして情報記録面で情報ピットにより変調されて反射した光束は、再び第２の対物レンズ部ＯＢＪ２、第２のλ／４波長板ＱＷＰ２を通過し、第２偏光ビームスプリッタＰＢＳ２で反射され、更に第２センサレンズＳＬ２を透過し、第２ダイクロイックプリズムＤＰ２で反射されて第３光検出器ＰＤ３の受光面に入射するので、その出力信号を用いて、ＣＤ（ＯＤ３）に対して、情報の記録及び／又は再生を行う。【０１３３】
また、第３光検出器ＰＤ３上でのスポットの形状変化、位置変化による光量変化を検出して、合焦検出やトラック検出を行う。この検出に基づいて、第３半導体レーザＬＤ３からの光束をＣＤ（ＯＤ３）の情報記録面上に結像するように、第２の対物レンズ部ＯＢＪ２をレンズホルダＨＤごと移動させるように、アクチュエータＡＣＴを駆動する。【０１３４】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【０１３５】
本実施の形態の光学素子の組み立て方法について説明する。ここでは、第１の対物レンズ部ＯＢＪ１が、第１半導体レーザＬＤ１からの光束に対して条件式（１）を満たす設計がなされており、第２の対物レンズ部ＯＢＪ２が、第２半導体レーザＬＤ２及び第３半導体レーザＬＤ３からの光束に対して条件式（２）を満たす設計がなされている場合を前提とする。特に実動作時に第１光ディスクであるＢＤの傾きによる３次コマ収差の補正を行う場合、第１半導体レーザＬＤ１からの光束に対して条件式（１）を満たし、第２の対物レンズ部ＯＢＪ２が、第２半導体レーザＬＤ２からの光束に対して条件式（２）を満たすことが好ましい。
｜ＨＣＭ｜／｜ＴＣＭ｜＜０．３            （１）
｜ＨＣＭ｜／｜ＴＣＭ｜＞０．３            （２）
但し、ＨＣＭは、前記第１の対物レンズ部又は前記第２の対物レンズ部における画角３次コマ感度を表し、ＴＣＭは、前記第１の対物レンズ部又は前記第２の対物レンズ部における傾角３次コマ感度を表す。【０１３６】
まず、第１の半導体レーザＬＤ１、第２の半導体レーザＬＤ２、第３の半導体レーザＬＤ３の光束の軸線、第１の対物レンズ部ＯＢＪ１、及び第２の対物レンズ部ＯＢＪ２の光軸を、光ピックアップ装置の基準光軸に対して、それぞれ１度以内の傾きに収まるように調整して取り付ける。【０１３７】
ここで、第１の対物レンズ部ＯＢＪ１が、第１半導体レーザＬＤ１からの光束を第１光ディスクＯＤ１の情報記録面に集光するようにした時、その集光スポットの３次コマ収差が所定値以下に小さくなるように、アクチュエータベースＡＣＴＢ（即ち第１の対物レンズ部ＯＢＪ１）の傾きを調整する。尚、アクチュエータベースＡＣＴＢでなく、レンズホルダＨＤに対して光学素子ＯＥの傾きを調整しても良い。この場合、調整前にレンズホルダＨＤに対して光学素子ＯＥを接着固定しないことはいうまでもない。【０１３８】
続いて、第２の対物レンズ部ＯＢＪ２が、第２半導体レーザＬＤ２からの光束をそれぞれ第２光ディスクＯＤ２、第３光ディスクＯＤ３の情報記録面に集光するようにした時、その集光スポットのコマ収差が所定値以下に小さくなるように、第２半導体レーザＬＤ２、第３半導体レーザＬＤ３を光軸直交方向に位置調整する。【０１３９】
尚、第１の対物レンズ部ＯＢＪ１が、第１半導体レーザＬＤ１からの光束に対して条件式（２）を満たす設計がなされており、第２の対物レンズ部ＯＢＪ２が、第２半導体レーザＬＤ２からの光束に対して条件式（１）を満たす設計がなされている場合には、上述した組み立て方法において、「第１の対物レンズ部ＯＢＪ１」と「第２の対物レンズＯＢＪ２」とを相互に置き換えればよい。なお、この場合、第３半導体レーザＬＤ３からの光束に対して、第２の対物レンズ部ＯＢＪ２は、条件式（１）を満たすようにしても良いし、条件式（２）を満たすようにしても良い。第２半導体レーザＬＤ２と第３半導体レーザＬＤ３とが１パッケージ化されており、第１半導体レーザＬＤ１のみ別の素子となっている場合は、第３半導体レーザＬＤ３からの光束に対して、第２の対物レンズ部ＯＢＪ２は、条件式（２）を満たすことが好ましい。【０１４０】
以上の調整により、各半導体レーザから照射された光束を集光させたときに光スポットのコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組み立て時にコマ収差を調整することによって、実動作時における相対傾き変更手段の負担を軽減させることができ、その傾き変更機構の小型化、省エネ、低コスト化を達成できる。【０１４１】
図８は、ＢＤ（第１の光ディスクともいう）、従来のＤＶＤ（第２の光ディスクともいう）及びＣＤ（第３の光ディスクともいう）の全てに対して情報の記録及び／又は再生を行える、第４の実施の形態にかかる光ピックアップ装置の概略断面図である。本実施の形態においては、第１半導体レーザＬＤ１と、第２半導体レーザＬＤ２とが、同一の筐体内に収納された、いわゆる２レーザ１パッケージ２Ｌ１Ｐとなっている。【０１４２】
光学素子ＯＥは、上述した実施の形態と同様である（図４参照）。図８に示すように、レンズホルダＨＤは、アクチュエータＡＣＴにより少なくとも２次元的に可動に支持されている。アクチュエータＡＣＴは、光ピックアップ装置のフレーム（不図示）に対して位置調整可能に取り付けられたアクチュエータべースＡＣＴＢを有している。図１９に示すように、対物レンズ部を支持するレンズホルダＨＤは、支持する２つの対物レンズの両光軸と略平行に延在する軸ＳＦＴ回りに回転可能となっており、第１の光ディスクＯＤ１に対して情報の記録及び／又は再生を行う場合、図８に示すように、第１の対物レンズ部ＯＢＪ１にλ／４波長板ＱＷＰを通過した光束が入射する位置へと回転し、第２の光ディスクＯＤ２又は第３の光ディスクＯＤ３に対して情報の記録及び／又は再生を行う場合、第２の対物レンズ部ＯＢＪ２にλ／４波長板ＱＷＰを通過した光束が入射する位置へと回転するようになっている。【０１４３】
第１の光ディスクＯＤ１に対して情報の記録及び／又は再生を行う場合、レンズホルダＨＤを図８に示す位置へと回転移動させる。図８において、第１の光源としての第１半導体レーザＬＤ１（波長λ１＝３５０ｎｍ〜４４０ｎｍ）から出射された光束は、２レーザ１パッケージ２Ｌ１Ｐから外部へと出た後、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１４４】
エキスパンダーレンズＥＸＰを通過した光束は、ダイクロイックプリズムＤＰを通過し、更にλ／４波長板ＱＷＰを通過して、第１の対物レンズ部ＯＢＪ１により集光されて、第１の光ディスクＯＤ１の保護層（厚さｔ１＝０．０３〜０．１４ｍｍ）を介してその情報記録面に集光されここに集光スポットを形成する。【０１４５】
そして情報記録面で情報ピットにより変調されて反射した光束は、再び第１の対物レンズ部ＯＢＪ１、λ／４波長板ＱＷＰ、ダイクロイックプリズムＤＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、第１の光ディスクＯＤ１に対して、情報の記録及び／又は再生を行う。【０１４６】
また、光検出器ＰＤ上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズ部ＯＢＪ１をレンズホルダＨＤごと移動させるように、アクチュエータＡＣＴを駆動する。【０１４７】
第２の光ディスクＯＤ２に対して情報の記録及び／又は再生を行う場合、レンズホルダＨＤを図８に示す位置から回転移動させる。第２半導体レーザＬＤ２（波長λ２＝６００ｎｍ〜７００ｎｍ）から出射された光束は、２レーザ１パッケージ２Ｌ１Ｐから外部へと出た後、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である回折格子Ｇを通過し、更に偏光ビームスプリッタＰＢＳ及びエキスパンダーレンズＥＸＰを通過する。【０１４８】
エキスパンダーレンズＥＸＰを通過した光束は、ダイクロイックプリズムＤＰを通過し、更にλ／４波長板ＱＷＰを通過して、回折構造を有する第２の対物レンズ部ＯＢＪ２により集光されて、第２の光ディスクＯＤ２の保護層（厚さｔ２＝０．５〜０．８ｍｍ）を介してその情報記録面に集光されここに集光スポットを形成する。【０１４９】
そして情報記録面で情報ピットにより変調されて反射した光束は、再び第２の対物レンズ部ＯＢＪ２、λ／４波長板ＱＷＰ、ダイクロイックプリズムＤＰ、エキスパンダーレンズＥＸＰを通過して、偏光ビームスプリッタＰＢＳで反射され、更にセンサレンズＳＬを介して光検出器ＰＤの受光面に入射するので、その出力信号を用いて、第２の光ディスクＯＤ２に対して、情報の記録及び／又は再生を行う。【０１５０】
また、光検出器ＰＤ上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズ部ＯＢＪ２をレンズホルダＨＤごと移動させるように、アクチュエータＡＣＴを駆動する。【０１５１】
第３半導体レーザＬＤ３はホログラムレーザであり、光源であるレーザチップＬＣと光検出器ＰＤ３がパッケージ化されている。第３の光ディスクＯＤ３に対して情報の記録及び／又は再生を行う場合について説明する。第３半導体レーザＬＤ３（波長λ３＝７００ｎｍ〜８００ｎｍ）のレーザチップＬＣから出射された光束は、第２コリメートレンズＣＬ２を通過して発散角を変更された後、ダイクロイックプリズムＤＰで反射された後、回折構造を有する第２の対物レンズ部ＯＢＪ２により集光されて、第３の光ディスクＯＤ３の保護層（厚さｔ３＝１．０〜１．３ｍｍ）を介してその情報記録面に集光されここに集光スポットを形成する。【０１５２】
そして情報記録面で情報ピットにより変調されて反射した光束は、再び第２の対物レンズ部ＯＢＪ２、λ／４波長板ＱＷＰを通過し、ダイクロイックプリズムＤＰで反射され、更に第２コリメートレンズＣＬ２により集光されて第３半導体レーザＬＤ３内の光検出器ＰＤ３の受光面に入射するので、その出力信号を用いて、第３の光ディスクＯＤ３に対して、情報の記録及び／又は再生を行う。【０１５３】
また、第３光検出器ＰＤ３上でのスポットの形状変化、位置変化による光量変化を検出して、合焦検出やトラック検出を行う。この検出に基づいて、第３半導体レーザＬＤ３からの光束を第３の光ディスクＯＤ３の情報記録面上に結像するように、第２の対物レンズ部ＯＢＪ２をレンズホルダＨＤごと移動させるように、アクチュエータＡＣＴを駆動する。【０１５４】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【０１５５】
本実施の形態においては、第１の対物レンズ部ＯＢＪ１が、第１の半導体レーザＬＤ１からの光束に対して前出の条件式（１）を満たす設計がなされており、第２の対物レンズ部ＯＢＪ２が、第２半導体レーザＬＤ２、第３半導体レーザＬＤ３からの光束に対して、それぞれ条件式（２）を満たす設計がなされている。この時の３次コマ収差の調整方法は、第１の対物レンズ部ＯＢＪ１が、第１半導体レーザＬＤ１からの光束を第１光ディスクＯＤ１の情報記録面に集光するようにした時、その集光スポットの３次コマ収差が所定値以下に小さくなるように、アクチュエータベースＡＣＴＢ（即ち第１の対物レンズ部ＯＢＪ１）の傾きを調整する。また、第２の対物レンズ部ＯＢＪ２が、第２半導体レーザＬＤ２及び第３半導体レーザＬＤ３からの光束を、それぞれ第２光ディスクＯＤ２、第３光ディスクＯＤ３の情報記録面に集光するようにした時、それぞれの集光スポットのコマ収差が所定値以下に小さくなるように、第２半導体レーザＬＤ２、第３半導体レーザＬＤ３を光軸直交方向に位置調整する。この時、第１半導体レーザＬＤ１と第２半導体レーザＬＤ２とに２レーザ１パッケージを使用しているので、第２半導体レーザＬＤ２を位置調整すると第１半導体レーザＬＤ１も一緒に動くが、第１対物レンズ部ＯＢＪ１が条件式（１）を満たしているので、３次コマ収差の変化は僅かである。必要があれば、これらの調整を繰り返し行なえば、より調整精度を高められる。【０１５６】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１５７】
しかも、対物レンズ部を第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ部固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１５８】
図９は、ＢＤ（第１の光ディスクともいう）、従来のＤＶＤ（第２の光ディスクともいう）及びＣＤ（第３の光ディスクともいう）の全てに対して情報の記録及び／又は再生を行える、第５の実施の形態にかかる光ピックアップ装置の概略断面図である。本実施の形態においては、第２半導体レーザＬＤ２と、第３半導体レーザＬＤ３とが、同一の筐体内に収納された、いわゆる２レーザ１パッケージ２Ｌ１Ｐとなっている。【０１５９】
光学素子ＯＥは、上述した実施の形態と同様である（図４参照）。図９に示すように、レンズホルダＨＤは、アクチュエータＡＣＴにより少なくとも２次元的に可動に支持されている。【０１６０】
第１の光ディスクＯＤ１に対して情報の記録及び／又は再生を行う場合、図９において、第１の光源としての第１半導体レーザＬＤ１（波長λ１＝３５０ｎｍ〜４４０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である第１の回折格子Ｇ１を通過し、更に第１偏光ビームスプリッタＰＢＳ１及びエキスパンダーレンズＥＸＰを通過する。【０１６１】
エキスパンダーレンズＥＸＰを通過した光束は、第１のλ／４波長板ＱＷＰ１を通過して、第１の対物レンズ部ＯＢＪ１により集光されて、第１の光ディスクＯＤ１の保護層（厚さｔ１＝０．０３〜０．１４ｍｍ）を介してその情報記録面に集光されここに集光スポットを形成する。【０１６２】
そして情報記録面で情報ピットにより変調されて反射した光束は、再び第１の対物レンズ部ＯＢＪ１、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に対して、情報の記録及び／又は再生を行う。【０１６３】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズ部ＯＢＪ１をレンズホルダＨＤごと移動させるように、アクチュエータＡＣＴを駆動する。【０１６４】
第２の光ディスクＯＤ２に対して情報の記録及び／又は再生を行う場合、第２半導体レーザＬＤ２（波長λ２＝６００ｎｍ〜７００ｎｍ）から出射された光束は、２レーザ１パッケージ２Ｌ１Ｐから外部へと出た後、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１６５】
第２偏光ビームスプリッタＰＢＳ２を通過した光束は、第２のλ／４波長板ＱＷＰ２を通過して、回折構造を有する第２の対物レンズ部ＯＢＪ２により集光されて、第２の光ディスクＯＤ２の保護層（厚さｔ２＝０．５〜０．８ｍｍ）を介してその情報記録面に集光されここに集光スポットを形成する。【０１６６】
そして情報記録面で情報ピットにより変調されて反射した光束は、再び第２の対物レンズ部ＯＢＪ２、第２のλ／４波長板ＱＷＰ２を通過し、第２偏光ビームスプリッタＰＢＳ２で反射され、更に第２センサレンズＳＬ２を介して第２光検出器ＰＤ２の受光面に入射するので、その出力信号を用いて、第２の光ディスクＯＤ２に対して、情報の記録及び／又は再生を行う。【０１６７】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズ部ＯＢＪ２をレンズホルダＨＤごと移動させるように、アクチュエータＡＣＴを駆動する。【０１６８】
第３の光ディスクＯＤ３に対して情報の記録及び／又は再生を行う場合、第３半導体レーザＬＤ３（波長λ３＝７００ｎｍ〜８００ｎｍ）から出射された光束は、２レーザ１パッケージ２Ｌ１Ｐから外部へと出た後、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１６９】
第２偏光ビームスプリッタＰＢＳ２を通過した光束は、第２のλ／４波長板ＱＷＰ２を通過して、回折構造を有する第２の対物レンズ部ＯＢＪ２により集光されて、第３の光ディスクＯＤ３の保護層（厚さｔ３＝１．０〜１．３ｍｍ）を介してその情報記録面に集光されここに集光スポットを形成する。【０１７０】
そして情報記録面で情報ピットにより変調されて反射した光束は、再び第２の対物レンズ部ＯＢＪ２、第２のλ／４波長板ＱＷＰ２を通過し、第２偏光ビームスプリッタＰＢＳ２で反射され、更に第２センサレンズＳＬ２を介して第２光検出器ＰＤ２の受光面に入射するので、その出力信号を用いて、第３の光ディスクＯＤ３に対して、情報の記録及び／又は再生を行う。【０１７１】
また、第２光検出器ＰＤ２上でのスポットの形状変化、位置変化による光量変化を検出して、合焦検出やトラック検出を行う。この検出に基づいて、第２半導体レーザＬＤ２からの光束を第３の光ディスクＯＤ３の情報記録面上に結像するように、第２の対物レンズ部ＯＢＪ２をレンズホルダＨＤごと移動させるように、アクチュエータＡＣＴを駆動する。【０１７２】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【０１７３】
本実施の形態においては、第１の対物レンズ部ＯＢＪ１が、第１の半導体レーザＬＤ１からの光束に対して前出の条件式（２）を満たす設計がなされており、第２の対物レンズ部ＯＢＪ２が、第２半導体レーザＬＤ２からの光束に対して、前出の条件式（１）を満たす設計がなされており、第３半導体レーザＬＤ３からの光束に対して、前出の条件式（２）を満たす設計がなされている。この時の３次コマ収差の調整方法は、第２の対物レンズ部ＯＢＪ２が、第２半導体レーザＬＤ２からの光束を第２光ディスクＯＤ２の情報記録面に集光するようにした時、その集光スポットの３次コマ収差が所定値以下に小さくなるように、アクチュエータベースＡＣＴＢ（即ち第２の対物レンズ部ＯＢＪ２）の傾きを調整する。また、第１の対物レンズ部ＯＢＪ１が、第１半導体レーザＬＤ１からの光束を、それぞれ第１光ディスクＯＤ１の情報記録面に集光するようにした時、集光スポットの３次コマ収差が所定値以下に小さくなるように、第１半導体レーザＬＤ１を光軸直交方向に位置調整し、また、第２の対物レンズ部ＯＢＪ２が、第３半導体レーザＬＤ３からの光束を、第３光ディスクＯＤ３の情報記録面に集光するようにした時、集光スポットの３次コマ収差が所定値以下に小さくなるように、第３半導体レーザＬＤ３を光軸直交方向に位置調整する。この時、第２半導体レーザＬＤ２と第３半導体レーザＬＤ３とに２レーザ１パッケージを使用しているので、第３半導体レーザＬＤ３を位置調整すると第２半導体レーザＬＤ２も一緒に動くが、第２対物レンズ部ＯＢＪ２が条件式（１）を満たしているので、３次コマ収差の変化は僅かである。必要があれば、これらの調整を繰り返し行なえば、より調整精度を高められる。【０１７４】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１７５】
しかも、対物レンズ部を第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ部固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１７６】
図１０は、ＢＤ（第１の光ディスクともいう）、従来のＤＶＤ（第２の光ディスクともいう）及びＣＤ（第３の光ディスクともいう）の全てに対して情報の記録及び／又は再生を行える、第６の実施の形態にかかる光ピックアップ装置の概略断面図である。本実施の形態においては、第２半導体レーザＬＤ２と、第３半導体レーザＬＤ３とが、同一の筐体内に収納された、いわゆる２レーザ１パッケージ２Ｌ１Ｐとなっている。【０１７７】
光学素子ＯＥは、上述した実施の形態と同様である（図４参照）。図１０に示すように、レンズホルダＨＤは、アクチュエータＡＣＴにより少なくとも２次元的に可動に支持されている。【０１７８】
第１の光ディスクＯＤ１に対して情報の記録及び／又は再生を行う場合、図１０において、第１の光源としての第１半導体レーザＬＤ１（波長λ１＝３５０ｎｍ〜４４０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である第１の回折格子Ｇ１を通過し、更に第１偏光ビームスプリッタＰＢＳ１及びエキスパンダーレンズＥＸＰを通過する。【０１７９】
エキスパンダーレンズＥＸＰを通過した光束は、第１のλ／４波長板ＱＷＰ１を通過して、第１の対物レンズ部ＯＢＪ１により集光されて、第１の光ディスクＯＤ１の保護層（厚さｔ１＝０．０３〜０．１４ｍｍ）を介してその情報記録面に集光されここに集光スポットを形成する。【０１８０】
そして情報記録面で情報ピットにより変調されて反射した光束は、再び第１の対物レンズ部ＯＢＪ１、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に対して、情報の記録及び／又は再生を行う。【０１８１】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズ部ＯＢＪ１をレンズホルダＨＤごと移動させるように、アクチュエータＡＣＴを駆動する。【０１８２】
第２の光ディスクＯＤ２に対して情報の記録及び／又は再生を行う場合、第２半導体レーザＬＤ２（波長λ２＝６００ｎｍ〜７００ｎｍ）から出射された光束は、２レーザ１パッケージ２Ｌ１Ｐから外部へと出た後、回折素子ＤＥを通過し、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１８３】
第２偏光ビームスプリッタＰＢＳ２を通過した光束は、第２のλ／４波長板ＱＷＰ２を通過して、回折構造を有する第２の対物レンズ部ＯＢＪ２により集光されて、第２の光ディスクＯＤ２の保護層（厚さｔ２＝０．５〜０．８ｍｍ）を介してその情報記録面に集光されここに集光スポットを形成する。【０１８４】
そして情報記録面で情報ピットにより変調されて反射した光束は、再び第２の対物レンズ部ＯＢＪ２、第２のλ／４波長板ＱＷＰ２を通過し、第２偏光ビームスプリッタ（分離手段ともいう）ＰＢＳ２で反射され、更に第２センサレンズＳＬ２を介した後、光軸補正素子ＳＥを通過して第２光検出器ＰＤ２の受光面に入射するので、その出力信号を用いて、第２の光ディスクＯＤ２に対して、情報の記録及び／又は再生を行う。【０１８５】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズ部ＯＢＪ２をレンズホルダＨＤごと移動させるように、アクチュエータＡＣＴを駆動する。【０１８６】
第３の光ディスクＯＤ３に対して情報の記録及び／又は再生を行う場合、第３半導体レーザＬＤ３（波長λ３＝７００ｎｍ〜８００ｎｍ）から出射された光束は、２レーザ１パッケージ２Ｌ１Ｐから外部へと出た後、回折素子ＤＥを通過し、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０１８７】
第２偏光ビームスプリッタＰＢＳ２を通過した光束は、第２のλ／４波長板ＱＷＰ２を通過して、回折構造を有する第２の対物レンズ部ＯＢＪ２により集光されて、第３の光ディスクＯＤ３の保護層（厚さｔ３＝１．０〜１．３ｍｍ）を介してその情報記録面に集光されここに集光スポットを形成する。【０１８８】
そして情報記録面で情報ピットにより変調されて反射した光束は、再び第２の対物レンズ部ＯＢＪ２、第２のλ／４波長板ＱＷＰ２を通過し、第２偏光ビームスプリッタＰＢＳ２で反射され、更に第２センサレンズＳＬ２を介した後、光軸補正素子ＳＥを通過して第２光検出器ＰＤ２の受光面に入射するので、その出力信号を用いて、第３の光ディスクＯＤ３に対して、情報の記録及び／又は再生を行う。【０１８９】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズ部ＯＢＪ２をレンズホルダＨＤごと移動させるように、アクチュエータＡＣＴを駆動する。【０１９０】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【０１９１】
本実施の形態においては、第１の対物レンズ部ＯＢＪ１が、第１の半導体レーザーＬＤ１からの光束に対して前出の条件式（１）を満たす設計がなされており、第２の対物レンズ部ＯＢＪ２が、第２の半導体レーザＬＤ２、第３半導体レーザＬＤ３からの光束に対して、それぞれ条件式（２）を満たす設計がなされている。ここで、第２半導体レーザＬＤ２と第３半導体レーザＬＤ３とに２レーザ１パッケージを使用しているので、これらは独立して光源位置を調整できないことになる。しかしながら、２レーザ１パッケージ２Ｌ１Ｐを出た光束は、回折素子ＤＥに入射し、ここでコマ収差補正を行える。補正量は、回折素子ＤＥの回転量に応じて変化する。従って、光ピックアップ装置の組立時には、第３半導体レーザＬＤ３のシフト調整を行う場合、第３半導体レーザＬＤ３を光軸直交方向に移動させる代わりに、回折素子ＤＥを適宜回転させることで、シフト調整処理ができる。尚、光軸補正素子ＳＥは、上述の回折素子ＤＥを用いたシフト調整を行った結果、第２光検出器ＰＤ２の受光面における、半導体レーザＬＤ２、ＬＤ３の両光束のスポット光のズレを補正するように、その位置を調整する。【０１９２】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０１９３】
しかも、対物レンズ部を第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ部固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０１９４】
図１１は、ＢＤ（第１の光ディスクともいう）、従来のＤＶＤ（第２の光ディスクともいう）及びＣＤ（第３の光ディスクともいう）の全てに対して情報の記録及び／又は再生を行える、第７の実施の形態にかかる光ピックアップ装置の概略断面図である。【０１９５】
光学素子ＯＥは、上述した実施の形態と同様である（図４参照）。図１１に示すように、レンズホルダＨＤは、アクチュエータＡＣＴにより少なくとも２次元的に可動に支持されている。【０１９６】
第１の光ディスクＯＤ１に対して情報の記録及び／又は再生を行う場合、図１１において、第１の光源としての第１半導体レーザＬＤ１（波長λ１＝３５０ｎｍ〜４４０ｎｍ）から出射された光束は、ビームシェイパＢＳを通過することで光束の形状を補正された上で、第１コリメートレンズＣＬ１に入射する。第１コリメートレンズＣＬ１から出射した光束は、光源から出射した光束を記録及び／又は再生用のメインビームとトラッキングエラー信号検出用のサブビームに分離するための光学手段である第１回折格子Ｇ１を通過し、更に第１偏光ビームスプリッタＰＢＳ１及びエキスパンダーレンズＥＸＰを通過する。【０１９７】
エキスパンダーレンズＥＸＰを通過した光束は、第１のλ／４波長板ＱＷＰ１を通過して、第１の対物レンズ部ＯＢＪ１により集光されて、第１の光ディスクＯＤ１の保護層（厚さｔ１＝０．０３〜０．１４ｍｍ）を介してその情報記録面に集光されここに集光スポットを形成する。【０１９８】
そして情報記録面で情報ピットにより変調されて反射した光束は、再び第１の対物レンズ部ＯＢＪ１、第１のλ／４波長板ＱＷＰ１、エキスパンダーレンズＥＸＰを通過して、第１偏光ビームスプリッタＰＢＳ１で反射され、更に第１センサレンズＳＬ１を介して第１光検出器ＰＤ１の受光面に入射するので、その出力信号を用いて、第１の光ディスクＯＤ１に対して、情報の記録及び／又は再生を行う。【０１９９】
また、第１光検出器ＰＤ１上でのスポットの形状変化、位置変化による光量変化を検出して、合焦検出やトラック検出を行う。この検出に基づいて、第１半導体レーザＬＤ１からの光束を第１の光ディスクＯＤ１の情報記録面上に結像するように、第１の対物レンズ部ＯＢＪ１をレンズホルダＨＤごと移動させるように、アクチュエータＡＣＴを駆動する。【０２００】
第２の光ディスクＯＤ２に対して情報の記録及び／又は再生を行う場合、第２半導体レーザＬＤ２（波長λ２＝６００ｎｍ〜７００ｎｍ）から出射された光束は、ダイクロイックプリズムＤＰを通過し、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０２０１】
第２偏光ビームスプリッタＰＢＳ２を通過した光束は、第２のλ／４波長板ＱＷＰ２を通過して、回折構造を有する第２の対物レンズ部ＯＢＪ２により集光されて、第２の光ディスクＯＤ２の保護層（厚さｔ２＝０．５〜０．８ｍｍ）を介してその情報記録面に集光されここに集光スポットを形成する。【０２０２】
そして情報記録面で情報ピットにより変調されて反射した光束は、再び第２の対物レンズ部ＯＢＪ２、第２のλ／４波長板ＱＷＰ２を通過し、第２偏光ビームスプリッタ（分離手段ともいう）ＰＢＳ２で反射され、更に第２センサレンズＳＬ２を介した後、光軸補正素子ＳＥを通過して第２光検出器ＰＤ２の受光面に入射するので、その出力信号を用いて、第２の光ディスクＯＤ２対して、情報の記録及び／又は再生を行う。尚、光軸補正素子ＳＥは、第２半導体レーザＬＤ２と、第３半導体レーザＬＤ３の少なくとも一方に対してシフト処理を行った場合に発生する光軸ずれを補正することにより、いずれから照射された光束も、第２光検出器ＰＤ２の受光面の最適位置に集光させるように機能するものである。【０２０３】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズ部ＯＢＪ２をレンズホルダＨＤごと移動させるように、アクチュエータＡＣＴを駆動する。【０２０４】
第３の光ディスクＯＤ３に対して情報の記録及び／又は再生を行う場合、第３半導体レーザＬＤ３（波長λ３＝７００ｎｍ〜８００ｎｍ）から出射された光束は、ダイクロイックプリズムＤＰで反射され、第２コリメートレンズＣＬ２に入射する。第２コリメートレンズＣＬ２から出射した光束は、第２回折格子Ｇ２を通過し、更に第２偏光ビームスプリッタＰＢＳ２を通過する。【０２０５】
第２偏光ビームスプリッタＰＢＳ２を通過した光束は、第２のλ／４波長板ＱＷＰ２を通過して、回折構造を有する第２の対物レンズ部ＯＢＪ２により集光されて、第３の光ディスクＯＤ３の保護層（厚さｔ３＝１．０〜１．３ｍｍ）を介してその情報記録面に集光されここに集光スポットを形成する。【０２０６】
そして情報記録面で情報ピットにより変調されて反射した光束は、再び第２の対物レンズ部ＯＢＪ２、第２のλ／４波長板ＱＷＰ２を通過し、第２偏光ビームスプリッタＰＢＳ２で反射され、更に第２センサレンズＳＬ２を介した後、光軸補正素子ＳＥを通過して第２光検出器ＰＤ２の受光面に入射するので、その出力信号を用いて、第３の光ディスクＯＤ３に対して、情報の記録及び／又は再生を行う。【０２０７】
また、第２光検出器ＰＤ２上でのスポットの形状変化、位置変化による光量変化を検出して、合焦検出やトラック検出を行う。この検出に基づいて、第２半導体レーザＬＤ２からの光束を第２の光ディスクＯＤ２の情報記録面上に結像するように、第２の対物レンズ部ＯＢＪ２をレンズホルダＨＤごと移動させるように、アクチュエータＡＣＴを駆動する。【０２０８】
尚、第２の対物レンズ部ＯＢＪ２が、回折構造のような光路差付与構造を有するため、光束の波長の違いに起因して回折構造にて発生する収差と、異なる光ディスクの透明基板の厚さの差に起因して発生する収差とが打ち消しあうようにさせることにより、異なる光ディスクを単一の対物レンズ部で記録又は再生する事を可能としている。【０２０９】
本実施の形態の光ピックアップ装置の組立時においては、上述したコマ調整を行えばよい。【０２１０】
かかる調整により、各半導体レーザから照射された光束を集光させたときにスポット光のコマ収差を極力抑えることができるが、本実施の形態では、実際の情報記録又は再生時に、光検出器からの信号に応じて相対傾き変更手段を駆動することで、光ディスクの反りに起因したコマ収差や、残存する誤差に起因したコマ収差を補正するようにしている。但し、組立時にコマ収差を調整することによって、実動作時における相対傾き変更手段の負担を軽減させることができ、コスト削減、小型化、省エネが達成できる。【０２１１】
しかも、対物レンズ部を第１半導体レーザ専用と、第２半導体レーザ及び第３半導体レーザの共用と、２つ設けているため、各々の波長に対応した光ディスクに対する結像性能の光学設計的余裕が生じる。これは、特にレンズ厚や作動距離（ワーキングディスタンス）を小さくすることが設計的に可能となり薄型の光ピックアップ装置を設計する上で効果的である。また対物レンズ部固有の収差マージンが大きくなるため、光ピックアップ装置の他の光学部品の収差を緩和することができる。また光ピックアップ装置の構成部品に高い機械的精度を要求することなく量産性に優れたものを設計することが可能で、光ピックアップ装置のコスト低減を図ることができる。【０２１２】
図１２は、２レーザ１パッケージの光源と回折素子とを保持する２つの例を示す断面図であり、２レーザ１パッケージの光源と回折素子とを用いる上述した実施の形態に適用できる。図１２（ａ）において、略中空円筒状の保持枠ＨＦの下面の座繰り部ＨＦａに２レーザ１パッケージ２Ｌ１Ｐが取り付けられ、その上面の座繰り部ＨＦｂに回折素子ＤＥが取り付けられる。尚、回折素子ＤＥは、組み付け時に座繰り部ＨＦｂ内で適宜回転された後、接着剤で固定されると好ましい。【０２１３】
図１２（ｂ）において、略中空円筒状の保持枠ＨＦの下面の座繰り部ＨＦａに２レーザ１パッケージ２Ｌ１Ｐが取り付けられ、その上面の座繰り部ＨＦｂに、環状の支持部Ｒを介して回折素子ＤＥが取り付けられる。尚、回折素子ＤＥは、組み付け時に座繰り部ＨＦｂ内で適宜回転された後、接着剤で固定されると好ましい。【０２１４】
図１３は、光学素子ＯＥの変形例を示す図である。図１３（ａ）は、本実施形態の対物レンズユニットの斜視図であり、図１３（ｂ）は、図１３（ａ）に示す対物レンズユニットＯＬＵの組み立てを説明する斜視図である。図示の対物レンズユニットＯＬＵにおいて、第１素子ＯＥ１の第１フランジ部ＦＬ１は矩形板状であり、その一端に、浅い矩形状段部ＦＬ１ｃと、開口ＦＬ１ａとが形成されている。【０２１５】
第２素子ＯＥ２は、回転可能な状態で第１素子ＯＥ１の矩形状段部ＦＬ１ｃ上に載置される。これにより、第２対物レンズ部ＯＢＪ２の回転姿勢を矩形状段部ＦＬ１ｃ上で調節することができ、第２対物レンズ部ＯＢＪ２の非点収差やコマ収差といった収差の方向性を調整することができる。第２対物レンズ部ＯＢＪ２の回転位置の調節及び角度付け調整が完了した状態で、例えば第２対物レンズ部ＯＢＪ２の周囲に設けた４箇所の接着部ＢＰでＵＶ硬化型の樹脂等を利用して矩形状段部ＦＬ１ｃに固定される。【０２１６】
第１素子ＯＥ１の第１フランジ部ＦＬ１には、表面の適所に凹凸からなる指標ＦＭが形成されている。このような指標ＦＭは、例えば第１部材ＯＥ１を射出成形により製造する際のゲートの箇所等に関する情報を含むものとする。このような指標ＦＭを設けることで、対物レンズユニットＯＬＵを光ピックアップ装置に組み付ける際の品質等を含む製品管理に役立てることができる。【０２１７】
以上の対物レンズユニットＯＬＵにおいて、第２対物レンズ部ＯＢＪ２の最下端は、光源側にあって光情報記録媒体側の最上端よりも突出している。このような突出は、第２対物レンズ部ＯＢＪ２の像側（光情報記録媒体側）の開口数ＮＡが大きくなる程顕著となる。一方で、第２フランジ部ＦＬ２は、矩形状段部ＦＬ１ｃに支持されている。よって、第２対物レンズ部ＯＢＪ２の最下端は、矩形状段部ＦＬ１ｃの絞りとして機能する開口ＦＬ１ａに埋め込むように配置されることになるので、第２対物レンズ部ＯＢＪ２の最下端が第１フランジ部ＦＬ１の下円から突出する量を低減することができる。これにより、対物レンズユニットＯＬＵを薄型とすることができ、光ピックアップ装置への組み込みが容易になるとともに光ピックアップ装置の小型化ができる。しかも、矩形状段部ＦＬ１ｃの開口ＦＬ１ａは、絞りとして機能させることができ、より小型化に寄与させることができる。このとき、不図示の干渉計などの測定に基づいて、第１の対物レンズ部ＯＢＪ１と第２の対物レンズ部ＯＢＪ２の３次コマ収差の方向を合わせる（例えば３０度以内に揃える）と好ましい。【０２１８】
また、第１の対物レンズ部の３次コマ収差の方向と第２の対物レンズ部の３次コマ収差の方向の差が３０度以内である場合、条件式（２）を満たす対物レンズ部が以下の条件式（２‘）を満たすことが好ましい。
０．６＞｜ＨＣＭ｜／｜ＴＣＭ｜＞０．３            （２‘）
以上述べたように、本実施の形態にかかる光学素子およびそれを用いた光ピックアップ装置、およびその組立方法によれば、２つの対物レンズ部を一体に形成しながら、第１〜第３半導体レーザから出射されるそれぞれの光束に対して、コマ調整が最適化されているため、異なる種類の光ディスクに対して良好な記録及び／または再生性能を有し、且つコンパクト化を実現できる。また、光ピックアップ装置が傾き変更機構を有する場合も、調整時のコマ調整の最適化により傾き変更機構にコマ抑制機能の負担を軽減させることができるため、傾き変更機構やその駆動回路などの作成が容易になり、コスト削減、小型化が達成できる。【０２１９】
図１４は、光ピックアップ装置の一例を上面から見た図であり、例えば特開平６−２１５３８４号に開示されているものと同じである。光ディスクＯＤを駆動するスピンドルモータＳＭを搭載したドライブベースＢの中央に、シークベースＳＢが配置され、シークベースＳＢの片側に移動用レールＲＡＩＬが配置されている。このレールＲＡＩＬは、一対のコイル群ＣＯＩＬ内を延在しており、これにガイドされるようにして、コースアクチュエータＣＡが光ディスクＯＤの半径方向に移動可能に配置されている。コースアクチュエータＣＡは、一体化された光学素子ＯＥを駆動するアクチュエータベースＡＣＴＢを支持している。【０２２０】
以上、本発明を実施の形態を参照して説明してきたが、本発明は上記実施の形態に限定して解釈されるべきではなく、適宜変更・改良が可能であることはもちろんである。【０２２１】
（実施例）
以下、上述した光学素子として好適な実施例について説明する。尚、実施例１〜１２は、それぞれ第１の対物レンズ部又は第２の対物レンズ部に該当するものであり、本発明の条件を満たす範囲で、任意に実施例１〜１２の２つの対物レンズ部を組み合わせ、本発明の光学素子を得ることができる。又、これ以降（表のレンズデータ含む）において、１０のべき乗数（例えば、２．５×１０−３）を、Ｅ（例えば、２．５Ｅ−３）を用いて表すものとする。【０２２２】
対物光学系の光学面は、それぞれ数１式に、表に示す係数を代入した数式で規定される、光軸の周りに軸対称な非球面に形成されている。【０２２３】
【数１】
2008075573.tif 000003
【０２２４】
ここで、Ｘ（ｈ）は光軸方向の軸（光の進行方向を正とする）、κは円錐係数、Ａ２ｉは非球面係数、ｈは光軸からの高さである。【０２２５】
また、回折構造（位相構造）を用いた実施例の場合、その回折構造により各波長の光束に対して与えられる光路差は、数２式の光路差関数に、表に示す係数を代入した数式で規定される。【０２２６】
【数２】
2008075573.tif 000004
【０２２７】
λは入射光束の波長、λＢは製造波長（ブレーズ化波長）、ｄｏｒは回折次数、Ｃ２ｉは光路差関数の係数である。【０２２８】
（実施例１）
実施例１のレンズデータを表１に示す。【０２２９】
【表１】
2008075573.tif 000005
【０２３０】
（実施例２）
実施例２のレンズデータを表２に示す。【０２３１】
【表２】
2008075573.tif 000006
【０２３２】
（実施例３）
実施例３のレンズデータを表３に示す。【０２３３】
【表３】
2008075573.tif 000007
【０２３４】
（実施例４）
実施例４のレンズデータを表４に示す。【０２３５】
【表４】
2008075573.tif 000008
【０２３６】
（実施例５）
実施例５のレンズデータを表５に示す。【０２３７】
【表５】
2008075573.tif 000009
【０２３８】
（実施例６）
実施例６のレンズデータを表６に示す。【０２３９】
【表６】
2008075573.tif 000010
【０２４０】
（実施例７）
実施例７のレンズデータを表７に示す。【０２４１】
【表７】
2008075573.tif 000011
【０２４２】
（実施例８）
実施例８のレンズデータを表８に示す。【０２４３】
【表８】
2008075573.tif 000012
【０２４４】
（実施例９）
実施例９のレンズデータを表９に示す。【０２４５】
【表９】
2008075573.tif 000013
【０２４６】
（実施例１０）
実施例１０のレンズデータを表１０に示す。【０２４７】
【表１０】
2008075573.tif 000014
【０２４８】
（実施例１１）
実施例１１のレンズデータを表１１に示す。【０２４９】
【表１１】
2008075573.tif 000015
【０２５０】
（実施例１２）
実施例１２のレンズデータを表１２に示す。【０２５１】
【表１２】
2008075573.tif 000016
【０２５２】
なお、上述の実施例１〜１２について、対象としている光ディスク及び｜ＨＣＭ｜／｜ＴＣＭ｜の値を以下の表１３にまとめる。【０２５３】
【表１３】
2008075573.tif 000017
【０２５４】
上述したように、本発明の条件を満たす範囲で、任意に実施例１〜１２の２つの対物レンズ部を組み合わせ、本発明の光学素子を得ることができる。例えば、以下の表１４に示すような組み合わせが好ましい例として挙げられるが、これに限られるものではない。【０２５５】
【表１４】
2008075573.tif 000018
【図４】
2008075573.tif 000019
【図９】
2008075573.tif 000020
【図１０】
2008075573.tif 000021
【図１２】
2008075573.tif 000022
【図１６】
2008075573.tif 000023
【図１９】
2008075573.tif 000024
【図１】
2008075573.tif 000025
【図２】
2008075573.tif 000026
【図３】
2008075573.tif 000027
【図５】
2008075573.tif 000028
【図６】
2008075573.tif 000029
【図７】
2008075573.tif 000030
【図８】
2008075573.tif 000031
【図１１】
2008075573.tif 000032
【図１３】
2008075573.tif 000033
【図１４】
2008075573.tif 000034
【図１５】
2008075573.tif 000035
【図１７】
2008075573.tif 000036
【図１８】
2008075573.tif 000037
【国際調査報告】
2008075573.tif 000038
2008075573.tif 000039
2008075573.tif 000040
2008075573.tif 000041